(57)【特許請求の範囲】
【請求項１】
冷却装置の内部にある相変化物質を保持するように構成された液体不透過性容器を実質的に形成する１つ以上の壁と、
上記液体不透過性容器の内部に配置された蒸発器コイルセットを備える少なくとも１つの能動的冷却ユニットと、
貯蔵領域を実質的に形成する１つ以上の壁と、
液体不透過性容器を実質的に形成する上記１つ以上の壁と熱接触する凝縮器を形成するように接続された、中空内部を有する第１蒸気不透過性構造体群、貯蔵領域を実質的に形成する上記１つ以上の壁と熱接触する蒸発器を形成するように接続された、中空内部を有する第２蒸気不透過性構造体群、および上記凝縮器と上記蒸発器の両方に取り付けられ、上記凝縮器の上記中空内部と上記蒸発器の上記中空内部との間に液体・蒸気流路を形成する、中空内部を有するコネクタを備える熱伝達システムと、
を備え、
上記蒸発器コイルセットを備える上記少なくとも１つの能動的冷却ユニットは、
上記液体不透過性容器を実質的に形成する上記１つ以上の壁の外面に隣接して配置された上記蒸発器コイルセットの第１部分と、
上記液体不透過性容器の内部に配置された上記蒸発器コイルセットの第２部分と、
凍結相変化物質の１つ以上の容器を取り囲む大きさおよび形状の、上記蒸発器コイルセットの上記第１部分と熱接触する枠と、
を備えることを特徴とする冷却装置。
【請求項２】
液体不透過性容器を実質的に形成する上記１つ以上の壁は、複数の層を備え、上記凝縮器は、当該複数の層のうちの少なくとも１つの表面に隣接して配置されることを特徴とする請求項１に記載の冷却装置。
【請求項３】
上記液体不透過性容器を実質的に形成する上記１つ以上の壁は、複数の層を備え、当該１つ以上の層のうちの少なくとも１つは、非平面領域を備え、上記液体不透過性容器の複数の面を形成することを特徴とする請求項１に記載の冷却装置。
【請求項４】
上記貯蔵領域を実質的に形成する上記１つ以上の壁は、複数の層を備え、上記蒸発器は、当該複数の層のうちの少なくとも１つの表面に隣接して配置されることを特徴とする請求項１に記載の冷却装置。
【請求項５】
上記凝縮器を形成するように接続された、上記中空内部を有する上記第１蒸気不透過性構造体群は、上記液体不透過性容器の上記１つ以上の壁のうちの少なくとも１つに内蔵されていることを特徴とする請求項１に記載の冷却装置。
【請求項６】
上記蒸発器を形成するように接続された、上記中空内部を有する上記第２蒸気不透過性構造体群は、上記貯蔵領域の上記１つ以上の壁のうちの少なくとも１つに内蔵されていることを特徴とする請求項１に記載の冷却装置。
【請求項７】
上記コネクタは、上記蒸発器に取り付けられた第１端部と、上記凝縮器に取り付けられた第２端部とを有する複数の導管を備え、各導管は、上記蒸発器の内部と上記凝縮器の内部との間に、液体および蒸気の双方向の流路を提供するように配置構成されることを特徴とする請求項１に記載の冷却装置。
【請求項８】
上記コネクタに接続され、上記コネクタの上記中空内部の大きさを可逆的に制御するように配置構成された少なくとも１つの弁をさらに備えることを特徴とする請求項１に記載の冷却装置。
【請求項９】
上記液体不透過性容器内に、上記１つ以上の壁と上記蒸発器コイルセットとの間に配置された少なくとも１つのセンサと、
上記少なくとも１つの能動的冷却ユニットと上記センサとに動作可能に取り付けられた制御器と、
をさらに備えることを特徴とする請求項１に記載の冷却装置。
【請求項１０】
上記コネクタに接続され、上記コネクタの上記中空内部の大きさを可逆的に制御するように配置構成された熱制御装置と、
上記液体不透過性容器内に、上記１つ以上の壁と上記蒸発器コイルセットとの間に配置された少なくとも１つのセンサと、
上記熱制御装置と上記センサとに動作可能に取り付けられた制御器と、
をさらに備えることを特徴とする請求項１に記載の冷却装置。
【請求項１１】
冷却装置の内部にある相変化物質を保持するように構成された液体不透過性容器を実質的に形成する１つ以上の壁と、
上記液体不透過性容器の内部に配置された蒸発器コイルセットを備える少なくとも１つの能動的冷却ユニットと、
貯蔵領域を実質的に形成する１つ以上の壁と、
液体不透過性容器を実質的に形成する上記１つ以上の壁と熱接触する凝縮器を形成するように接続された、中空内部を有する第１蒸気不透過性構造体群、貯蔵領域を実質的に形成する上記１つ以上の壁と熱接触する蒸発器を形成するように接続された、中空内部を有する第２蒸気不透過性構造体群、および上記凝縮器と上記蒸発器の両方に取り付けられ、上記凝縮器の上記中空内部と上記蒸発器の上記中空内部との間に液体・蒸気流路を形成する、中空内部を有するコネクタを備える熱伝達システムと、
を備え、
上記液体不透過性容器を実質的に形成する上記１つ以上の壁の外面に、上記凝縮器から遠位に取り付けられ、凍結相変化物質の１つ以上の容器を取り囲む大きさおよび形状の枠と、
上記枠内に、上記１つ以上の容器を上記１つ以上の壁に押しつけるように配向された少なくとも１つのテンショナと、
をさらに備えることを特徴とする冷却装置。
【請求項１２】
上記冷却装置に動作可能に取り付けられた電力モニターをさらに備えることを特徴とする請求項１に記載の冷却装置。
【請求項１３】
冷却装置の内部にある相変化物質を保持するように構成された液体不透過性容器を実質的に形成する１つ以上の壁と、
上記液体不透過性容器の内部に配置された蒸発器コイルセットを備える少なくとも１つの能動的冷却ユニットと、
貯蔵領域を実質的に形成する１つ以上の壁と、
液体不透過性容器を実質的に形成する上記１つ以上の壁と熱接触する凝縮器を形成するように接続された、中空内部を有する第１蒸気不透過性構造体群、貯蔵領域を実質的に形成する上記１つ以上の壁と熱接触する蒸発器を形成するように接続された、中空内部を有する第２蒸気不透過性構造体群、および上記凝縮器と上記蒸発器の両方に取り付けられ、上記凝縮器の上記中空内部と上記蒸発器の上記中空内部との間に液体・蒸気流路を形成する、中空内部を有するコネクタを備える熱伝達システムと、
を備え、
上記液体不透過性容器に内蔵の、上記液体不透過性容器の縁部を越えて突出する領域を備える熱伝導壁と、
上記熱伝導壁の上記液体不透過性容器の縁部を越えて突出する上記熱伝導壁の上記領域に取り付けられ、上記熱伝導壁の上記領域に隣接した断熱層を備える囲壁と、
上記囲壁内に取り付けられた、凍結相変化物質の１つ以上の容器を取り囲む大きさおよび形状の枠と、
をさらに備えることを特徴とする冷却装置。
【請求項１４】
冷却装置の内部にある相変化物質を保持するように構成された液体不透過性容器を実質的に形成する１つ以上の壁であって、凝縮器を形成するように接続された、中空内部を有する第１蒸気不透過性構造体群を一体的に備える１つ以上の壁と、
上記液体不透過性容器の内部に配置された蒸発器コイルセットを備える少なくとも１つの能動的冷却ユニットと、
貯蔵領域を実質的に形成する１つ以上の壁であって、蒸発器を形成するように接続された、中空内部を有する第２蒸気不透過性構造体群を一体的に備える１つ以上の壁と、
上記凝縮器と上記蒸発器の両方に取り付けられ、上記凝縮器の上記中空内部と上記蒸発器の上記中空内部との間に液体・蒸気流路を形成するコネクタと、
を備え、
上記凝縮器、上記蒸発器、および上記コネクタは、上記冷却装置に内蔵の熱伝達システムを形成し、
上記少なくとも１つの能動的冷却ユニットは、
上記液体不透過性容器を実質的に形成する上記１つ以上の壁の外面に隣接して配置された上記蒸発器コイルセットの第１部分と、
上記液体不透過性容器の内部に配置された上記蒸発器コイルセットの第２部分と、
凍結相変化物質の１つ以上の容器を取り囲む大きさおよび形状の、上記蒸発器コイルセットの上記第１部分と熱接触する枠と、
を備えることを特徴とする冷却装置。
【請求項１５】
液体不透過性容器を実質的に形成する上記１つ以上の壁は、複数の層を備え、上記凝縮器は、当該複数の層のうちの少なくとも１つの表面に隣接して配置されることを特徴とする請求項１４に記載の冷却装置。
【請求項１６】
上記液体不透過性容器を実質的に形成する上記１つ以上の壁は、複数の層を備え、当該１つ以上の層のうちの少なくとも１つは、非平面領域を備え、上記液体不透過性容器の複数の面を形成することを特徴とする請求項１４に記載の冷却装置。
【請求項１７】
上記凝縮器を形成するように接続された、上記中空内部を有する上記第１蒸気不透過性構造体群は、分岐構造体を形成することを特徴とする請求項１４に記載の冷却装置。
【請求項１８】
上記凝縮器を形成するように接続された、上記中空内部を有する上記第１蒸気不透過性構造体群は、上記液体不透過性容器の上記１つ以上の壁のうちの少なくとも１つに内蔵されていることを特徴とする請求項１４に記載の冷却装置。
【請求項１９】
上記貯蔵領域を実質的に形成する上記１つ以上の壁は、立方構造の５面を形成することを特徴とする請求項１４に記載の冷却装置。
【請求項２０】
上記蒸発器を形成するように接続された、上記中空内部を有する上記第２蒸気不透過性構造体群は、分岐構造体を形成することを特徴とする請求項１４に記載の冷却装置。
【請求項２１】
上記蒸発器を形成するように接続された、上記中空内部を有する上記第２蒸気不透過性構造体群は、上記貯蔵領域の上記１つ以上の壁のうちの少なくとも１つに内蔵されていることを特徴とする請求項１４に記載の冷却装置。
【請求項２２】
上記コネクタは、上記蒸発器に取り付けられた第１端部と、上記凝縮器に取り付けられた第２端部とを有する複数の導管を備え、各導管は、上記蒸発器の内部と上記凝縮器の内部との間に、液体および蒸気の双方向の流路を提供するように配置構成されることを特徴とする請求項１４に記載の冷却装置。
【請求項２３】
上記液体不透過性容器内に、上記１つ以上の壁と上記蒸発器コイルセットとの間に配置された少なくとも１つのセンサと、
上記少なくとも１つの能動的冷却ユニットと上記センサとに動作可能に取り付けられた制御器と、
をさらに備えることを特徴とする請求項１４に記載の冷却装置。
【請求項２４】
上記コネクタに接続され、上記コネクタの上記中空内部の大きさを可逆的に制御するように配置構成された熱制御装置と、
上記液体不透過性容器内に、上記１つ以上の壁と上記蒸発器コイルセットとの間に配置された少なくとも１つのセンサと、
上記熱制御装置と上記センサとに動作可能に取り付けられた制御器と、
をさらに備えることを特徴とする請求項１４に記載の冷却装置。
【請求項２５】
冷却装置の内部にある相変化物質を保持するように構成された液体不透過性容器を実質的に形成する１つ以上の壁であって、凝縮器を形成するように接続された、中空内部を有する第１蒸気不透過性構造体群を一体的に備える１つ以上の壁と、
上記液体不透過性容器の内部に配置された蒸発器コイルセットを備える少なくとも１つの能動的冷却ユニットと、
貯蔵領域を実質的に形成する１つ以上の壁であって、蒸発器を形成するように接続された、中空内部を有する第２蒸気不透過性構造体群を一体的に備える１つ以上の壁と、
上記凝縮器と上記蒸発器の両方に取り付けられ、上記凝縮器の上記中空内部と上記蒸発器の上記中空内部との間に液体・蒸気流路を形成するコネクタと、
を備え、
上記凝縮器、上記蒸発器、および上記コネクタは、上記冷却装置に内蔵の熱伝達システムを形成し、
上記液体不透過性容器を実質的に形成する上記１つ以上の壁の外面に、上記凝縮器から遠位に取り付けられ、凍結相変化物質の１つ以上の容器を取り囲む大きさおよび形状の枠と、
上記枠内に、上記１つ以上の容器を上記１つ以上の壁に押しつけるように配向された少なくとも１つのテンショナと、
をさらに備えることを特徴とする冷却装置。
【請求項２６】
上記冷却装置に動作可能に取り付けられた電力モニターをさらに備えることを特徴とする請求項１４に記載の冷却装置。
【請求項２７】
冷却装置の内部にある相変化物質を保持するように構成された液体不透過性容器を実質的に形成する１つ以上の壁であって、凝縮器を形成するように接続された、中空内部を有する第１蒸気不透過性構造体群を一体的に備える１つ以上の壁と、
上記液体不透過性容器の内部に配置された蒸発器コイルセットを備える少なくとも１つの能動的冷却ユニットと、
貯蔵領域を実質的に形成する１つ以上の壁であって、蒸発器を形成するように接続された、中空内部を有する第２蒸気不透過性構造体群を一体的に備える１つ以上の壁と、
上記凝縮器と上記蒸発器の両方に取り付けられ、上記凝縮器の上記中空内部と上記蒸発器の上記中空内部との間に液体・蒸気流路を形成するコネクタと、
を備え、
上記凝縮器、上記蒸発器、および上記コネクタは、上記冷却装置に内蔵の熱伝達システムを形成し、
上記液体不透過性容器に内蔵の、上記液体不透過性容器の縁部を越えて突出する領域を備える熱伝導壁と、
上記熱伝導壁の上記液体不透過性容器の縁部を越えて突出する上記熱伝導壁の上記領域に取り付けられ、上記熱伝導壁の上記領域に隣接した断熱層を備える囲壁と、
上記囲壁内に取り付けられた、凍結相変化物質の１つ以上の容器を取り囲む大きさおよび形状の枠と、
をさらに備えることを特徴とする冷却装置。
【請求項２８】
冷却装置の内部にある相変化物質を保持するように構成された液体不透過性容器を実質的に形成する１つ以上の壁と、
上記液体不透過性容器の内部に配置された蒸発器コイルセットを備える少なくとも１つの能動的冷却ユニットと、
上記液体不透過性容器内に、上記１つ以上の壁と上記蒸発器コイルセットとの間に配置されたセンサと、
貯蔵領域を実質的に形成する１つ以上の壁と、
液体不透過性容器を実質的に形成する上記１つ以上の壁と熱接触する凝縮器を形成するように接続された、中空内部を有する第１蒸気不透過性構造体群、貯蔵領域を実質的に形成する上記１つ以上の壁と熱接触する蒸発器を形成するように接続された、中空内部を有する第２蒸気不透過性構造体群、および上記凝縮器と上記蒸発器の両方に取り付けられ、上記凝縮器の上記中空内部と上記蒸発器の上記中空内部との間に液体・蒸気流路を形成するコネクタを備える熱伝達システムと、
上記少なくとも１つの能動的冷却ユニットと上記センサとに動作可能に取り付けられた制御器とを備え、
上記蒸発器コイルセットを備える上記少なくとも１つの能動的冷却ユニットは、
上記液体不透過性容器を実質的に形成する上記１つ以上の壁の外面に隣接して配置された上記蒸発器コイルセットの第１部分と、
上記液体不透過性容器の内部に配置された上記蒸発器コイルセットの第２部分と、
凍結相変化物質の１つ以上の容器を取り囲む大きさおよび形状の、上記蒸発器コイルセットの上記第１部分と熱接触する枠と、
を備えることを特徴とする冷却装置。
【請求項２９】
液体不透過性容器を実質的に形成する上記１つ以上の壁は、複数の層を備え、上記凝縮器は、当該複数の層のうちの少なくとも１つの表面に隣接して配置されることを特徴とする請求項２８に記載の冷却装置。
【請求項３０】
上記液体不透過性容器を実質的に形成する上記１つ以上の壁は、複数の層を備え、当該１つ以上の層のうちの少なくとも１つは、非平面領域を備え、上記液体不透過性容器の複数の面を形成することを特徴とする請求項２８に記載の冷却装置。
【請求項３１】
上記液体不透過性容器内に、上記１つ以上の壁と上記蒸発器コイルセットとの間に配置された上記センサは、上記冷却装置の使用時には相変化物質に浸漬されるように配置されることを特徴とする請求項２８に記載の冷却装置。
【請求項３２】
上記液体不透過性容器内に、上記１つ以上の壁と上記蒸発器コイルセットとの間に配置された上記センサは、温度センサを備えることを特徴とする請求項２８に記載の冷却装置。
【請求項３３】
上記凝縮器を形成するように接続された、上記中空内部を有する上記第１蒸気不透過性構造体群は、上記液体不透過性容器の上記１つ以上の壁のうちの少なくとも１つに内蔵されていることを特徴とする請求項２８に記載の冷却装置。
【請求項３４】
上記蒸発器を形成するように接続された、上記中空内部を有する上記第２蒸気不透過性構造体群は、上記貯蔵領域の上記１つ以上の壁のうちの少なくとも１つに内蔵されていることを特徴とする請求項２８に記載の冷却装置。
【請求項３５】
上記コネクタは、上記蒸発器に取り付けられた第１端部と、上記凝縮器に取り付けられた第２端部とを有する複数の導管を備え、各導管は、上記蒸発器の内部と上記凝縮器の内部との間に、液体および蒸気の双方向の流路を提供するように配置構成されることを特徴とする請求項２８に記載の冷却装置。
【請求項３６】
上記コネクタに接続され、上記コネクタの上記中空内部の大きさを可逆的に制御するように配置構成された少なくとも１つの熱制御装置をさらに備えることを特徴とする請求項２８に記載の冷却装置。
【請求項３７】
冷却装置の内部にある相変化物質を保持するように構成された液体不透過性容器を実質的に形成する１つ以上の壁と、
上記液体不透過性容器の内部に配置された蒸発器コイルセットを備える少なくとも１つの能動的冷却ユニットと、
上記液体不透過性容器内に、上記１つ以上の壁と上記蒸発器コイルセットとの間に配置されたセンサと、
貯蔵領域を実質的に形成する１つ以上の壁と、
液体不透過性容器を実質的に形成する上記１つ以上の壁と熱接触する凝縮器を形成するように接続された、中空内部を有する第１蒸気不透過性構造体群、貯蔵領域を実質的に形成する上記１つ以上の壁と熱接触する蒸発器を形成するように接続された、中空内部を有する第２蒸気不透過性構造体群、および上記凝縮器と上記蒸発器の両方に取り付けられ、上記凝縮器の上記中空内部と上記蒸発器の上記中空内部との間に液体・蒸気流路を形成するコネクタを備える熱伝達システムと、
上記少なくとも１つの能動的冷却ユニットと上記センサとに動作可能に取り付けられた制御器とを備え、
上記液体不透過性容器を実質的に形成する上記１つ以上の壁の外面に、上記凝縮器から遠位に取り付けられ、凍結相変化物質の１つ以上の容器を取り囲む大きさおよび形状の枠と、
上記枠内に、上記１つ以上の容器を上記１つ以上の壁に押しつけるように配向された少なくとも１つのテンショナと、
をさらに備えることを特徴とする冷却装置。
【請求項３８】
上記枠は、第２液体不透過性容器内に配置されることを特徴とする請求項３７に記載の冷却装置。
【請求項３９】
上記制御器に動作可能に取り付けられた電力モニターをさらに備えることを特徴とする請求項２８に記載の冷却装置。
【請求項４０】
冷却装置の内部にある相変化物質を保持するように構成された液体不透過性容器を実質的に形成する１つ以上の壁と、
上記液体不透過性容器の内部に配置された蒸発器コイルセットを備える少なくとも１つの能動的冷却ユニットと、
上記液体不透過性容器内に、上記１つ以上の壁と上記蒸発器コイルセットとの間に配置されたセンサと、
貯蔵領域を実質的に形成する１つ以上の壁と、
液体不透過性容器を実質的に形成する上記１つ以上の壁と熱接触する凝縮器を形成するように接続された、中空内部を有する第１蒸気不透過性構造体群、貯蔵領域を実質的に形成する上記１つ以上の壁と熱接触する蒸発器を形成するように接続された、中空内部を有する第２蒸気不透過性構造体群、および上記凝縮器と上記蒸発器の両方に取り付けられ、上記凝縮器の上記中空内部と上記蒸発器の上記中空内部との間に液体・蒸気流路を形成するコネクタを備える熱伝達システムと、
上記少なくとも１つの能動的冷却ユニットと上記センサとに動作可能に取り付けられた制御器とを備え、
上記液体不透過性容器に内蔵の、上記液体不透過性容器の縁部を越えて突出する領域を備える熱伝導壁と、
上記熱伝導壁の上記液体不透過性容器の縁部を越えて突出する上記熱伝導壁の上記領域に取り付けられ、上記熱伝導壁の上記領域に隣接した断熱層を備える囲壁と、
上記囲壁内に取り付けられた、凍結相変化物質の１つ以上の容器を取り囲む大きさおよび形状の枠と、
をさらに備えることを特徴とする冷却装置。
【請求項４１】
冷却装置の内部にある相変化物質を保持するように構成された液体不透過性容器を実質的に形成する１つ以上の壁であって、凝縮器を形成するように接続された、中空内部を有する第１蒸気不透過性構造体群を一体的に備える１つ以上の壁と、
上記液体不透過性容器の内部に配置された蒸発器コイルセットを備える少なくとも１つの能動的冷却ユニットと、
貯蔵領域を実質的に形成する１つ以上の壁であって、蒸発器を形成するように接続された、中空内部を有する第２蒸気不透過性構造体群を一体的に備える１つ以上の壁と、
上記凝縮器と上記蒸発器の両方に取り付けられ、上記凝縮器の上記中空内部と上記蒸発器の上記中空内部との間に液体・蒸気流路を形成するコネクタと、
を備え、
上記凝縮器、上記蒸発器、および上記コネクタは、上記冷却装置に内蔵の熱伝達システムを形成し、
上記凝縮器を形成するように接続された、上記中空内部を有する上記第１蒸気不透過性構造体群は、第１分岐構造体を形成し、
上記蒸発器を形成するように接続された、上記中空内部を有する上記第２蒸気不透過性構造体群は、第２分岐構造体を形成し、
上記第１分岐構造体および上記第２分岐構造体はいずれもジグザグ状であり、
上記第１分岐構造体の分岐点が上記凝縮器の下部にあり、
上記第２分岐構造体の分岐点が上記蒸発器の上部にあり、
上記第１分岐構造体と上記第２分岐構造体とは上記分岐点同士でのみつながっていることを特徴とする冷却装置。
【発明の詳細な説明】
【背景技術】
【０００１】
優先出願の全ての内容は、本明細書と矛盾しない限りにおいて、参照として本明細書に組み込まれる。
【発明の概要】
【０００２】
いくつかの実施形態において、冷却装置は、冷却装置の内部にある相変化物質を保持するように構成された液体不透過性容器を実質的に形成する１つ以上の壁と、上記液体不透過性容器の内部に配置された蒸発器コイルセットを備える少なくとも１つの能動的冷却ユニットと、貯蔵領域を実質的に形成する１つ以上の壁と、液体不透過性容器を実質的に形成する上記１つ以上の壁と熱接触する凝縮器を形成するように接続された、中空内部を有する第１蒸気不透過性構造体群、貯蔵領域を実質的に形成する上記１つ以上の壁と熱接触する蒸発器を形成するように接続された、中空内部を有する第２蒸気不透過性構造体群、および上記凝縮器と上記蒸発器の両方に取り付けられ、上記凝縮器の上記中空内部と上記蒸発器の上記中空内部との間に液体・蒸気流路を形成する、中空内部を有するコネクタを備える熱伝達システムと、を備える。
【０００３】
いくつかの実施形態において、冷却装置は、冷却装置の内部にある相変化物質を保持するように構成された液体不透過性容器を実質的に形成する１つ以上の壁であって、凝縮器を形成するように接続された、中空内部を有する第１蒸気不透過性構造体群を一体的に備える１つ以上の壁と、上記液体不透過性容器の内部に配置された蒸発器コイルセットを備える少なくとも１つの能動的冷却ユニットと、貯蔵領域を実質的に形成する１つ以上の壁であって、蒸発器を形成するように接続された、中空内部を有する第２蒸気不透過性構造体群を一体的に備える１つ以上の壁と、上記凝縮器と上記蒸発器の両方に取り付けられ、上記凝縮器の上記中空内部と上記蒸発器の上記中空内部との間に液体・蒸気流路を形成するコネクタと、を備え、上記凝縮器、上記蒸発器、および上記コネクタは、上記冷却装置に内蔵の熱伝達システムを形成する。
【０００４】
いくつかの実施形態において、冷却装置は、冷却装置の内部にある相変化物質を保持するように構成された液体不透過性容器を実質的に形成する１つ以上の壁と、上記液体不透過性容器の内部に配置された蒸発器コイルセットを備える少なくとも１つの能動的冷却ユニットと、上記液体不透過性容器内に、上記１つ以上の壁と上記蒸発器コイルセットとの間に配置されたセンサと、貯蔵領域を実質的に形成する１つ以上の壁と、液体不透過性容器を実質的に形成する上記１つ以上の壁と熱接触する凝縮器を形成するように接続された、中空内部を有する第１蒸気不透過性構造体群、貯蔵領域を実質的に形成する上記１つ以上の壁と熱接触する蒸発器を形成するように接続された、中空内部を有する第２蒸気不透過性構造体群、および上記凝縮器と上記蒸発器の両方に取り付けられ、上記凝縮器の上記中空内部と上記蒸発器の上記中空内部との間に液体・蒸気流路を形成するコネクタを備える熱伝達システムと、上記少なくとも１つの能動的冷却ユニットと上記センサとに動作可能に取り付けられた制御器とを備える。
【０００５】
上記の概要は、例示的なものにすぎず、決して限定することを意図するものではない。上記の例示的な態様、実施形態、および構成に加えて、さらなる態様、実施形態、および構成が、図面および下記の詳細な説明を参照することによって明白になるであろう。
【図面の簡単な説明】
【０００６】
【図１】冷却装置の概略図である。
【図２】冷却装置の概略図である。
【図３】冷却装置の概略図である。
【図４】冷却装置の概略図である。
【図５】冷却装置の概略図である。
【図６】冷却装置のある領域の概略図である。
【図７】冷却装置の概略図である。
【図８】冷却装置のある領域の概略図である。
【発明を実施するための形態】
【０００７】
下記の詳細な説明において、本明細書の一部を構成する添付図面が参照される。図面では、同様の符号は、文脈で別段の指示がない限り、通常、同様の構成要素を特定している。詳細な説明、図面、および請求項で説明されている例示的な実施形態は、限定を意味するものではない。他の実施形態を利用してもよく、本明細書に示される内容の精神または範囲から逸脱することなく、他の変更を行ってもよい。
【０００８】
冷却装置の態様は本明細書に記載されている。例えば、いくつかの実施形態において、冷却装置は、家庭用冷蔵庫装置として使用される大きさ、形状、および構成である。例えば、いくつかの実施形態において、冷却装置は、家庭用冷蔵庫電気製品として使用する大きさ、形状、および構成である。例えば、いくつかの実施形態において、冷却装置は、商業用冷蔵庫装置として使用される大きさ、形状、および構成である。例えば、いくつかの実施形態において、冷却装置は、例えば電力供給が不安定または断続的な地域の診療所または保健医療出先機関などにおいて、医療用冷蔵庫装置として使用される大きさ、形状、および構成である。
【０００９】
本明細書に記載されている上記冷却装置は、各冷却装置内の少なくとも１つの貯蔵領域に対し、継続した温度制御を行うように構成される。本明細書に記載されている上記冷却装置は、冷却装置が通常の電力供給に基づいて作動できない場合、例えば停電の間でも、上記冷却装置内の少なくとも１つの貯蔵領域に対し、継続した温度制御を行うように設計されている。特に、本明細書に記載されている上記冷却装置は、冷却装置への電力供給が断続的または変動的な場所で役立つことが想定されている。例えば、いくつかの実施形態において、冷却装置は、当該冷却装置が平均して時間の約１０％で電力供給を受けていれば無期限に、１つ以上の内部貯蔵領域を所定の温度範囲内に維持するように構成されてもよい。例えば、いくつかの実施形態において、冷却装置は、当該冷却装置が平均して時間の約５％で電力供給を受けていれば無期限に、１つ以上の内部貯蔵領域を所定の温度範囲内に維持するように構成されてもよい。例えば、いくつかの実施形態において、冷却装置は、当該冷却装置が平均して時間の１％で電力供給を受けていれば無期限に、１つ以上の内部貯蔵領域を所定の温度範囲内に維持するように構成されてもよい。例えば、いくつかの実施形態において、冷却装置は、１つ以上の内部貯蔵領域を、少なくとも３０時間所定の温度範囲内に維持するように構成されてもよい。例えば、いくつかの実施形態において、冷却装置は、１つ以上の内部貯蔵領域を、少なくとも５０時間所定の温度範囲内に維持するように構成されてもよい。例えば、いくつかの実施形態において、冷却装置は、１つ以上の内部貯蔵領域を、少なくとも７０時間所定の温度範囲内に維持するように構成されてもよい。例えば、いくつかの実施形態において、冷却装置は、１つ以上の内部貯蔵領域を、少なくとも９０時間所定の温度範囲内に維持するように構成されてもよい。例えば、いくつかの実施形態において、冷却装置は、１つ以上の内部貯蔵領域を、少なくとも１１０時間所定の温度範囲内に維持するように構成されてもよい。例えば、いくつかの実施形態において、冷却装置は、１つ以上の内部貯蔵領域を、少なくとも１３０時間所定の温度範囲内に維持するように構成されてもよい。例えば、例えば、いくつかの実施形態において、冷却装置は、１つ以上の内部貯蔵領域を、少なくとも１５０時間所定の温度範囲内に維持するように構成されてもよい。例えば、いくつかの実施形態において、冷却装置は、１つ以上の内部貯蔵領域を、少なくとも１７０時間所定の温度範囲内に維持するように構成されてもよい。
【００１０】
温度限界に対して敏感な品目は、冷却装置への電力供給が中断された場合でも、当該品目を長期間所定の温度範囲内に維持するために、冷却装置の上記１つ以上の貯蔵領域に貯蔵されてもよい。例えば、いくつかの実施形態において、電力を得ることができない冷却装置は、周囲の外部温度が−１０℃から４３℃の間である場合、当該冷却装置の１つ以上の内部貯蔵領域を、長期間所定の温度範囲内に維持するように構成される。例えば、いくつかの実施形態において、電力を得ることができない冷却装置は、周囲の外部温度が２５℃から４３℃の間である場合、当該冷却装置の１つ以上の内部貯蔵領域を、或る期間所定の温度範囲内に維持するように構成される。例えば、いくつかの実施形態において、電力を得ることができない冷却装置は、周囲の外部温度が３５℃から４３℃の間である場合、当該冷却装置の１つ以上の内部貯蔵領域を、ある期間所定の温度範囲内に維持するように構成される。例えば、いくつかの実施形態において、電力を得ることができない冷却装置は、周囲の外部温度が−３５℃から４３℃の間である場合、当該冷却装置の１つ以上の内部貯蔵領域を、少なくとも１週間所定の温度範囲内に維持するように構成される。例えば、いくつかの実施形態において、電力を得ることができない冷却装置は、周囲の外部温度が−３５℃から４３℃の間である場合、当該冷却装置の１つ以上の内部貯蔵領域を、少なくとも２週間所定の温度範囲内に維持するように構成される。例えば、いくつかの実施形態において、電力を得ることができない冷却装置は、周囲の外部温度が−３５℃から４３℃の間である場合、当該冷却装置の１つ以上の内部貯蔵領域を、少なくとも３０日間所定の温度範囲内に維持するように構成される。例えば、いくつかの実施形態において、電力を得ることができない冷却装置は、周囲の外部温度が−１０℃未満の場合、当該冷却装置の１つ以上の内部貯蔵領域を、ある期間所定の温度範囲内に維持するように構成される。
【００１１】
本明細書において使用されているように、「冷却装置」は、外部電源を少なくとも一部の時間で利用し、物質をある期間周囲温度未満の温度で一貫して貯蔵するように構成される内部貯蔵領域を有する装置を指している。いくつかの実施形態において、冷却装置は、２つの内部貯蔵領域を備える。いくつかの実施形態において、冷却装置は、３つ以上の内部貯蔵領域を備える。いくつかの実施形態において、冷却装置は、２つ以上の内部貯蔵領域を備え、これらの貯蔵領域のそれぞれは、内部温度を異なる温度範囲内に維持するように構成される。一般的に、冷却装置は、能動的冷却システムを備える。いくつかの実施形態において、冷却装置は、地方自治体の電力供給から電力を供給される。いくつかの実施形態において、冷却装置は、太陽光発電システムから電力を供給される。いくつかの実施形態において、冷却装置は、バッテリーから電力を供給される。いくつかの実施形態において、冷却装置は、例えばディーゼル発電機などの発電機から電力を供給される。
【００１２】
いくつかの実施形態において、冷却装置は、冷蔵庫である。冷蔵庫は、一般的に、内部に貯蔵された品目を、零度より高く、考えられる周囲温度より低い所定の温度範囲で保持するように調整される。冷蔵庫は、例えば、内部温度を１℃から４℃の間で維持するように設計されてもよい。いくつかの実施形態において、冷却装置は、標準的な冷凍庫である。冷凍庫は、一般的に、内部に貯蔵された品目を、零度より低く、極低温より高い温度範囲に保持するように調整される。冷凍庫は、例えば、内部温度を−２３℃から−１７℃の間で維持するように、または、例えば、内部温度を−１８℃から−１５℃の間で維持するように設計されてもよい。いくつかの実施形態において、冷却装置は、冷蔵室と冷凍室の両方を備える。例えば、いくつかの冷却装置は、一貫して冷蔵庫の温度範囲を維持する第１内部貯蔵領域、および一貫して冷凍庫の温度範囲を維持する第２内部貯蔵領域を備える。
【００１３】
いくつかの実施形態において、冷却装置は、当該冷却装置の内部貯蔵領域を、所定の温度範囲内に維持するように構成される。「所定の温度範囲」は、本明細書において使用されているように、使用される冷却装置の特定の実施形態の内部貯蔵領域に望ましいようにあらかじめ決められた温度範囲を指している。所定の温度範囲は、冷却装置を使用中に冷却装置の内部貯蔵領域が温度を維持する、安定した上記温度範囲である。例えば、いくつかの実施形態において、冷却装置は、当該冷却装置の内部貯蔵領域を、約２℃から８℃の所定の温度範囲内に維持するように構成される。例えば、いくつかの実施形態において、冷却装置は、当該冷却装置の内部貯蔵領域を、約１℃から９℃の所定の温度範囲内に維持するように構成される。例えば、いくつかの実施形態において、冷却装置は、当該冷却装置の内部貯蔵領域を、約−１５℃から−２５℃の所定の温度範囲内に維持するように構成される。例えば、いくつかの実施形態において、冷却装置は、当該冷却装置の内部貯蔵領域を、約−５℃から−１０℃の所定の温度範囲内に維持するように構成される。
【００１４】
例えば、いくつかの実施形態において、冷却装置は、電力が当該冷却装置に利用できない場合、当該冷却装置の内部貯蔵領域を、少なくとも５０時間、所定の温度範囲内に維持するように構成される。例えば、いくつかの実施形態において、冷却装置は、電力が当該冷却装置に利用できない場合、当該冷却装置の内部貯蔵領域を、少なくとも１００時間、所定の温度範囲内に維持するように構成される。例えば、いくつかの実施形態において、冷却装置は、電力が当該冷却装置に利用できない場合、当該冷却装置の内部貯蔵領域を、少なくとも１５０時間、所定の温度範囲内に維持するように構成される。例えば、いくつかの実施形態において、冷却装置は、電力が当該冷却装置に利用できない場合、当該冷却装置の内部貯蔵領域を、少なくとも２００時間、所定の温度範囲内に維持するように構成される。
【００１５】
いくつかの実施形態において、冷却装置は、電力が当該装置に利用できない場合、当該冷却装置の１つ以上の内部貯蔵領域を、長期間所定の温度範囲内に受動的に維持するように構成される。いくつかの実施形態において、冷却装置は、最小電力が当該冷却装置に利用できる場合、当該冷却装置の１つ以上の内部貯蔵領域を、長期間所定の温度範囲内に維持するように構成される。いくつかの実施形態において、冷却装置は、低電圧電力が当該冷却装置に利用できる場合、当該冷却装置の１つ以上の内部貯蔵領域を、長期間所定の温度範囲内に維持するように構成される。いくつかの実施形態において、冷却装置は、変動電力が当該冷却装置に利用できる場合、当該冷却装置の１つ以上の内部貯蔵領域を、長期間所定の温度範囲内に維持するように構成される。例えば、いくつかの実施形態において、上記冷却装置は、変動電力制御システムを備える。例えば、いくつかの実施形態において、上記冷却装置は、バッテリーを備える。いくつかの実施形態において、上記冷却装置は、電力がない場合は受動的に作動し、バッテリーを備えていない。
【００１６】
ここで図１を参照すると、本明細書に記載されている１つ以上のプロセスおよび／または装置を紹介するための状況として、冷却装置の例が示されている。図１は、自装置の内部に１つの貯蔵領域を備える冷却装置１００を示す。１つのドア１２０は、上記冷却装置の上記１つの貯蔵領域を、当該装置の外部のユーザーに対して、実質的に開放する。上記装置のユーザーは、ハンドル１２５を使用してドア１２０を開放してもよい。冷却装置１００は、外郭１１０の外壁の前面が目に見える状態で示されている。いくつかの実施形態において、例えば第１温度範囲内に維持された第１貯蔵領域および第２温度範囲内に維持された第２貯蔵領域などの上記冷却装置内の複数の貯蔵領域にユーザーがアクセスできるようにする１つのドアがある。図１に示す冷却装置１００は、掛け金１５０で冷却装置１００の上面に可逆的に取り付けられた上部ドア１４０を備える。上部ドア１４０は、例えば、冷却装置１００内に存在する、上部ドア１４０の内面に隣接して配置された液体不透過性容器にアクセスできるように構成されてもよい。冷却装置のいくつかの実施形態は、例えば地方自治体の電力供給または太陽光発電システムなどの電力供給によって作動するように構成されてもよい。例えば、図１に示す冷却装置１００の上記実施形態は、上記電力供給装置に接続するための電源コード１３０を備える。
【００１７】
いくつかの実施形態において、冷却装置は、上記液体不透過性容器の周囲に上記冷却装置の外部を形成する外郭と、上記少なくとも１つの蒸発器コイルセットと、上記熱伝導体と、上記貯蔵領域とを備える。いくつかの実施形態において、冷却装置は、上記液体不透過性容器、上記蒸発器コイルセット、貯蔵領域を実質的に形成する上記１つ以上の壁、および上記熱伝達システムを取り囲む外郭と、上記外郭内に、ユーザーが上記貯蔵領域にアクセスすることを可逆的に可能にするように配置されたドアとを備える。例えば、図１に示す上記実施形態において、外郭１１０は、上記冷却装置の目に見える構成要素の外部を取り囲む。外郭は、剛体材料、例えばガラス繊維材料あるいはステンレス鋼またはアルミニウム等の金属で作られてもよい。
【００１８】
いくつかの実施形態において、冷却装置は、上記外郭内に配置された断熱材を備える。いくつかの実施形態において、冷却装置は、上記貯蔵領域の外面に隣接して配置された断熱材を備える。上記断熱材は、上記液体不透過性容器の上記壁の外面および貯蔵領域を実質的に形成する外壁と可逆的に結合する大きさおよび形状であってもよい。上記断熱材は、特定の実施形態において、また、当該実施形態の予想される使用状況のために、上記熱伝達システムによる熱伝達によって、実質的にバランスがとられているレベルまで、上記貯蔵領域からの熱漏出量を削減するのに十分な厚み、質、および構成を有する。例えば、いくつかの実施形態において、上記冷却装置および断熱材の熱漏出量は、約３０Ｗである。例えば、いくつかの実施形態において、上記冷却装置および断熱材の熱漏出量は、約２５Ｗである。例えば、いくつかの実施形態において、上記冷却装置および断熱材の熱漏出量は、約２０Ｗである。例えば、いくつかの実施形態において、上記冷却装置および断熱材の熱漏出量は、約１５Ｗである。例えば、いくつかの実施形態において、上記冷却装置および絶縁材の熱漏出量は、約１０Ｗである。例えば、いくつかの実施形態において、上記断熱材は、発泡断熱材で作られる。例えば、いくつかの実施形態において、上記断熱材は、真空断熱パネル（「ＶＩＰ」）で作られる。
【００１９】
図２は、自装置の内部に２つの貯蔵領域を備える冷却装置１００を示す。冷却装置１００は、外壁１１０の前面が目に見える状態で示されている。第１ドア１２０は、上記冷却装置の上記第１貯蔵領域を、当該装置の外部のユーザーに対して、実質的に開放する。上記装置のユーザーは、ハンドル１２５を使用して第１ドア１２０を開放してもよい。いくつかの実施形態において、第１貯蔵領域は、内部温度を氷点（すなわち０℃）より１０℃以下高く維持するように構成されてもよい。いくつかの実施形態において、第１貯蔵領域は、例えば、内部温度を約０℃から約１０℃の間の範囲に維持するように構成されてもよい。いくつかの実施形態において、第１貯蔵領域は、例えば、内部温度を約１℃から約９℃の間の範囲に維持するように構成されてもよい。いくつかの実施形態において、第１貯蔵領域は、例えば、内部温度を約２℃から約８℃の間の範囲に維持するように構成されてもよい。図２に示す上記実施形態はまた、上記冷却装置の内部にある第２貯蔵領域にユーザーがアクセスできるようにする、ハンドル２１０を有する第２ドア２００を備える。いくつかの実施形態において、第２貯蔵領域は、内部温度を氷点より２０度以上低く維持するように構成されてもよい。いくつかの実施形態において、第２貯蔵領域は、例えば、内部温度を約−１５℃から約−２０℃の間の範囲に維持するように構成されてもよい。いくつかの実施形態において、第２貯蔵領域は、例えば、内部温度を約−１０℃から約−５℃の間の範囲に維持するように構成されてもよい。いくつかの実施形態において、第２貯蔵領域は、例えば、約０℃の内部温度を維持するように構成されてもよい。いくつかの実施形態において、第２貯蔵領域は、医療用の氷嚢等の１つ以上の相変化物質冷凍容器の貯蔵・冷却用に構成されてもよい。図２に示す冷却装置１００は、掛け金１５０で冷却装置１００の上面に可逆的に取り付けられた上部ドア１４０を備える。上部ドア１４０は、例えば、冷却装置１００内に、上部ドア１４０の内面に隣接して存在する液体不透過性容器にユーザーがアクセスできるように構成されてもよい。冷却装置のいくつかの実施形態は、例えば地方自治体の電力供給装置または太陽光発電システムなどの電力供給装置によって作動するように構成されてもよい。例えば、図２に示す冷却装置１００の上記実施形態は、上記電力供給装置に接続するための電源コード１３０を備える。
【００２０】
いくつかの実施形態において、冷却装置は、冷却装置の内部にある相変化物質を保持するように構成された液体不透過性容器を実質的に形成する１つ以上の壁と、上記液体不透過性容器の内部に配置された蒸発器コイルセットを備える少なくとも１つの能動的冷却ユニットと、貯蔵領域を実質的に形成する１つ以上の壁と、液体不透過性容器を実質的に形成する上記１つ以上の壁と熱接触する凝縮器を形成するように接続された、中空内部を有する第１蒸気不透過性構造体群、貯蔵領域を実質的に形成する上記１つ以上の壁と熱接触する蒸発器を形成するように接続された、中空内部を有する第２蒸気不透過性構造体群、および上記凝縮器と上記蒸発器の両方に取り付けられ、上記凝縮器の上記中空内部と上記蒸発器の上記中空内部との間に液体・蒸気流路を形成する、中空内部を有するコネクタを備える熱伝達システムと、を備える。
【００２１】
図３は、自装置の内部に相変化物質を保持するように構成された液体不透過性容器３００と、貯蔵領域３１０とを備える冷却装置１００を示す。説明のため、冷却装置１００の外郭、ドア、および／またはカバー等（例えば図１および２参照）の冷却装置１００の機構は、図３に示されていないが、実施形態は、これらおよび他の機構を備えてもよい。いくつかの実施形態において、液体不透過性容器は蒸気不透過性でもある。いくつかの実施形態において、図３に示すように、液体不透過性容器３００は、冷却装置１００内に、貯蔵領域３１０の上方に配置される。いくつかの実施形態において、液体不透過性容器は、上記蒸発器コイルセットが通過できる大きさ、形状、および位置の開口と、上記開口の表面と上記蒸発器コイルセットの表面との間の液体不透過性密閉材とを備える。いくつかの実施形態において、液体不透過性容器は、上記蒸発器コイルセットが通過できる大きさ、形状、および位置の開口と、上記開口の表面と上記蒸発器コイルセットの表面との間の蒸気不透過性密閉材とを備える。
【００２２】
いくつかの実施形態において、１つ以上の壁が液体不透過性容器を実質的に形成し、当該液体不透過性容器は、冷却装置の内部に相変化物質を保持するように構成される。図示されている液体不透過性容器３００は、堅固な壁および底部を有する立方構造を形成する複数の平面壁３２０と、開放上部を形成する最上面での開口と、から作られる。液体不透過性容器３００の複数の平面壁３２０は、それらの縁部で、略直角に、液体不透過性の密閉材で密閉されている。いくつかの実施形態において、液体不透過性容器を実質的に形成する上記１つ以上の壁は、複数の層を備え、上記凝縮器は、当該複数の層のうちの少なくとも１つの表面に隣接して配置される。いくつかの実施形態において、上記液体不透過性容器を実質的に形成する上記１つ以上の壁は、複数の層を備え、当該１つ以上の層のうちの少なくとも１つは、非平面領域を備え、上記液体不透過性容器の複数の面を形成する。いくつかの実施形態において、液体不透過性容器を実質的に形成する上記１つ以上の壁は、アクセス開口部を形成するための位置、大きさ、および形状の開口を有する。例えば、アクセス開口部は、ユーザーが上記液体不透過性容器の内部およびその中身を点検する、清涼にする、および／または一新することができるようにする大きさ、形状、および位置であってもよい。いくつかの実施形態において、液体不透過性容器を実質的に形成する上記１つ以上の壁は、ドアと可逆的に結合するための位置、大きさ、および形状の開口を備える。いくつかの実施形態は、上記液体不透過性容器の上面内に、ユーザーが上記液体不透過性容器の内部にアクセスするように構成されたアクセス蓋を備える。
【００２３】
いくつかの実施形態は、上記液体不透過性容器内に配置された相変化物質を備える。例えば、図３に示す上記実施形態において、相変化物質は、冷却コイルセット３３０を取り囲む位置３０５にある液体不透過性容器３００内に備えられてもよい。「相変化物質」は、本明細書において使用されているように、高潜熱の物質であり、物理相が変化する際に熱エネルギーを貯蔵および放出することが可能である。実施形態用の相変化物質は、当該物質の潜熱、当該物質の融点、当該物質の沸点、実施形態における所定量の熱エネルギーを貯蔵するために必要な物質の体積、当該物質の毒性、当該物質の値段、および当該物質の可燃性を含む要件によって、選択される。上記実施形態によっては、相変化物質は、使用時には、固体、液体、半固体、または気体であってもよい。例えば、いくつかの実施形態において、相変化物質には、水、メタノール、エタノール、ポリアクリル酸ナトリウム／多糖類物質、または含水塩が包含される。いくつかの実施形態において、例えば、純水／氷を体積の大部分として含む相変化物質は、融点０℃の純水／氷の物性のおかげで、好ましい。いくつかの実施形態において、例えば、塩水／塩氷を体積の大部分として含む相変化物質は、塩氷の融点が、上記塩水／塩氷内の塩のモル濃度および含有量に基づいて０℃未満に調整されてもよいため、好ましい。いくつかの実施形態において、例えば、相変化物質は、２０℃未満で凍結するように構成される。いくつかの実施形態において、例えば、相変化物質は、１℃から３℃の間のある一点で凍結するように構成される。いくつかの実施形態において、相変化物質は、周囲温度（例えば２５度）では液状である。
【００２４】
冷却装置１００は、蒸発器コイルセット３３０を備える能動的冷却ユニットを備える。蒸発器コイルセット３３０は、液体不透過性容器３００の内部に配置される。いくつかの実施形態において、冷却装置は、２つの能動的冷却ユニットを備え、それぞれ自身の蒸発器コイルセットを備える。蒸発器コイルセットは両方とも、例えば、上記冷却装置内の１つの液体不透過性容器内に配置されてもよい。蒸発器コイルセットのそれぞれは、例えば、１つの冷却装置内の２つの液体不透過性容器内に配置されてもよく、冷却コイルセットのそれぞれは、上記能動的冷却ユニットのそれぞれに取り付けられた１つの制御器によって独立に制御されてもよい。いくつかの実施形態において、冷却装置は、２つの蒸発器コイルセットを備える１つの能動的冷却ユニットを備える。蒸発器コイルセットのそれぞれは、例えば、１つの冷却装置内の２つの液体不透過性容器内に配置されてもよく、冷却コイルセットのそれぞれは、弁機構等の可逆的に制御された熱制御装置等によって、独立に制御されてもよい。いくつかの実施形態において、冷却装置は、能動的冷却システムを備える能動的冷却ユニットを備える。いくつかの実施形態において、冷却装置は、電動圧縮システムを備える能動的冷却ユニットを備える。
【００２５】
いくつかの実施形態において、冷却装置は、圧縮器を備える能動的冷却ユニットを備える。図３に示す上記実施形態は、蒸発器コイルセット３３０に動作可能に取り付けられた圧縮器３３５を備える。いくつかの実施形態において、冷却装置は、制御器を備える。図３に示す上記実施形態は、圧縮器３３５と電源への有線コネクタ３９５との間に配置された制御器３８０を備える。制御器は、上記実施形態によっては、上記圧縮器および／または上記冷却装置の他の機構に制御信号を送信するように構成された回路を有する電子制御器を備えてもよい。制御器は、上記実施形態によっては、信号を上記圧縮器ならびに／あるいはセンサまたはモニター等の上記冷却装置の他の機構から受信するように構成された回路を有する電子制御器を備えてもよい。いくつかの実施形態において、制御器は、セル方式の無線送信機等の無線信号発生器を備える。いくつかの実施形態において、制御器は、１つ以上のセンサからのデータ等のデータ収集用の回路、および／または電力モニターを備える。いくつかの実施形態において、制御器は、例えば、動作可能に取り付けられた圧縮器に制御信号を送信することによって、温度制御を行う回路を備える。いくつかの実施形態において、制御器は、例えば、動作可能に取り付けられた表示ユニットに制御信号を送信することによって、温度表示を行う回路を備える。いくつかの実施形態において、制御器は、１つ以上のセンサからデータを受信する回路と、１つ以上の所定の設定点の値に対して受信データを評価する回路と、１つ以上の所定の設定点の値を満たす検出値に応じて制御信号を送信する回路と、上記冷却装置に上記受信データを外部送信する回路とを備える。例えば、いくつかの実施形態において、制御器は、データを複数の温度センサから受信し、受信データを所定の最大値および／または最小値と比較して評価し、制御信号を検出された最大値および／または最小値に応じて送信し、監視システムに上記受信データを含む信号を送信するように構成されてもよい。
【００２６】
いくつかの実施形態において、冷却装置は、例えば、地方自治体の送電網の周期的な故障または太陽エネルギーを利用できないことなどが原因で、断続的に電力が利用できる場所で使用されることが予想される。冷却装置は、例えば、上記少なくとも１つの能動的冷却ユニットに取り付けられたバッテリーを備えてもよい。冷却装置は、所定の期間（例えば、２日間、３日間、または４日間）電力が不足している場合などの条件付きで、バッテリーの電力を利用して、上記能動的冷却ユニットを作動させるように構成されてもよい。冷却装置は、上記冷却装置内に配置された温度センサが所定の閾値レベルを超えた温度を検出する場合などの条件付きで、バッテリーの電力を利用して、上記能動的冷却ユニットを作動させるように構成されてもよい。
【００２７】
いくつかの実施形態において、冷却装置は、例えば、経時的に電圧が変動する電力供給など、変動電力が利用できる場所で使用されることが予想される。冷却装置は、例えば、上記少なくとも１つの能動的冷却ユニットに取り付けられた変動電力制御システムを備えてもよい。いくつかの実施形態において、変動電力制御システムは、例えば１２０、２３０ＶＡＣおよび１２から２４ＶＤＣなど、異なる電源からの電力を受け取るように設計されてもよい。いくつかの実施形態において、変動電力制御システムは、電力変換器を備えてもよい。上記電力変換器は、例えば、ＡＣ入力電力をＤＣに変換するように構成されてもよい。上記電力変換装置は、例えば、変動ＡＣ入力電力を２２０Ｖ  ＡＣに変換するように構成されてもよい。いくつかの実施形態において、変動電力制御システムは、自動電圧調整器を備える。例えば、あまり機能していない配電網がある場所で使用するように構成された冷却装置は、９０Ｖ  ＡＣから２５０Ｖ  ＡＣの範囲の電力を受け取り、この入力を、一体型自動電圧調整器を用いて、安定した２２０Ｖ  ＡＣに変換するように構成されてもよい。冷却装置は、当該冷却装置への電力供給を検出するように配置構成された１つ以上の電圧および／または電流センサを備えてもよい。上記センサは、制御器、および／または送信ユニット、および／または記憶ユニットに取り付けられてもよい。冷却装置は、電圧安定器を備えてもよい。冷却装置は、電力調整ユニットを備えてもよい。冷却装置のいくつかの実施形態は、地方自治体の送電網等の送電網からの日常的な供給電力の有無にかかわらず、動作可能であるように設計されている。例えば、冷却装置は、送電網が利用できる場合は、当該送電網によって、他の場合には、光起電ユニット等の代替電源によって、動作可能であるように構成されてもよい。例えば、冷却装置は、ユーザーからの入力に応じて送電網によって、太陽エネルギーの利用可能性等の別の入力に応じて光起電ユニット等の代替電源によって、動作可能であるように構成されてもよい。いくつかの実施形態は、例えばバッテリーに電力を供給するように構成された光起電ユニットを備える。いくつかの実施形態は、例えば、直接冷却装置に電力を供給するように構成された光起電ユニットを備える。いくつかの実施形態は、最高５０ワット（Ｗ）の電力の光起電ユニットを備える。いくつかの実施形態は、最高１００ワット（Ｗ）の電力の光起電ユニットを備える。いくつかの実施形態は、最高１５０ワット（Ｗ）の電力の光起電ユニットを備える。いくつかの実施形態は、最高２００ワット（Ｗ）の電力の光起電ユニットを備える。いくつかの実施形態は、利用可能性およびユーザーの好みによって、異なる電源によるエネルギーを利用するように構成される。例えば、いくつかの実施形態は、光起電ユニットによる電力を受け取る回路と、受け取った電力を上記能動的冷却システムに直接に送るかまたはバッテリーに送る制御器とを備える。この選択は、インターフェースを通じてユーザーによって行われてもよいし、時刻、外部温度、または上記冷却装置内の１つ以上の温度センサからの温度情報等の所定の規準に基づいて制御されてもよい。いくつかの実施形態は、冷却装���の検出状態に対応するように構成された制御器を備える。いくつかの実施形態は、１２ボルト（Ｖ）のバッテリーから１．５から２．０キロワットの範囲に定格がある電力変換器を経由して電力を送り、冷却装置の存在する能動的冷却システムを始動および作動させる回路を備える。いくつかの実施形態は、貯蔵領域内の上記温度センサからの情報に応じて上記制御器に制御されて、密閉された上記バッテリーから熱電ユニットに電力を供給するように構成される。上記温度制御された容器の上記内部貯蔵領域が１５リットル（Ｌ）から５０Ｌの範囲内である実施形態については、最高５０Ｗの光起電ユニットは、２４時間毎に上記光起電セルから１時間の最大出力が得られる状態で、約２℃から８℃の間である所定の温度範囲に連続的に維持することが可能でなければならない。上記システムは、上記バッテリーが設定閾値未満（例えば充電の８０％）で消耗せずに使用中のバッテリーの寿命を延長させることができるように構成された充電モニターを備えてもよい。
【００２８】
いくつかの実施形態は、上記冷却装置に動作可能に接続された電力モニターを備える。いくつかの実施形態は、上記冷却装置の電源と他の構成要素との間に配置された電力モニターを備える。いくつかの実施形態は、電圧遮断スイッチの後ろに配置された電力モニターを備える。いくつかの実施形態は、電力安定装置と上記圧縮器との間に配置された電力モニターを備える。例えば、図３に示す上記実施形態は、電源への有線コネクタ３９５に動作可能に接続された電力モニター３９０を備える。いくつかの実施形態は、上記制御器に動作可能に取り付けられた電力モニターを備える。例えば、図３は、制御器３８０への有線コネクタに動作可能に接続された電力モニター３９０を備える実施形態を示す。 電力モニターは、電力サンプリングユニット、例えば１キロヘルツの電力サンプリングユニットを備えてもよい。電力モニターは、電力サンプリングユニット、例えば２キロヘルツの電力サンプリングユニットを備えてもよい。電力モニターは、電力サンプリングユニット、例えば３キロヘルツの電力サンプリングユニットを備えてもよい。電力モニターは、電力サンプリングユニット、例えば４キロヘルツの電力サンプリングユニットを備えてもよい。電力モニターは、電力サンプリングユニット、例えば５キロヘルツの電力サンプリングユニットを備えてもよい。電力モニターは、サージ保護器を備えてもよく、このサージ保護器は、冷却装置の使用の予想される地理的地域に応じて、予想されるサージの状況において作動するように構成されてもよい。電力モニターは、高電圧遮断スイッチ、例えば上記冷却装置については所定の最高電圧で作動するように構成された高電圧遮断スイッチなどを備えてもよい。電力モニターは、低電圧遮断スイッチ、例えば上記冷却装置については所定の最低電圧で作動するように構成された低電圧遮断スイッチなどを備えてもよい。電力モニターは、電圧安定器を備えてもよい。電力モニターは、停電および電源回復を監視するのに十分な電力を供給するように構成されたバッテリーを備えてもよい。
【００２９】
いくつかの実施形態において、冷却装置は、上記液体不透過性容器を実質的に形成する上記１つ以上の壁の外面に隣接して配置された上記蒸発器コイルセットの第１部分と、上記液体不透過性容器の内部に配置された上記蒸発器コイルセットの第２部分と、凍結相変化物質のための１つ以上の容器を取り囲む大きさおよび形状の、上記蒸発器コイルセットの上記第１部分と熱接触する枠とを備える。いくつかの実施形態において、冷却装置は、上記液体不透過性容器を実質的に形成する上記１つ以上の壁の外面に隣接して配置された第１の蒸発器コイルセットと、上記液体不透過性容器の内部に配置された第２の蒸発器コイルセットと、凍結相変化物質のための１つ以上の容器を取り囲む大きさおよび形状の、上記第１の蒸発器コイルセットと熱接触する枠とを備える。
【００３０】
図３に示す上記実施形態において、冷却装置１００は、貯蔵領域３１０を実質的に形成する１つ以上の壁３４０を備える。これらの壁は、例えば、略平坦でもよく、略直角に互いに取り付けられてもよい。上記貯蔵領域は、例えば図３に示すように、立方構造を形成してもよい。上記貯蔵領域は、ドアと可逆的に結合する位置および大きさの開口を備えてもよい（例えば、図１および２参照）。上記貯蔵領域は、内部の棚、置き台、および同様の機構を備えてもよい。いくつかの実施形態において、ワクチンバイアルおよび／または医薬品パッケージの貯蔵等の医療用貯蔵用に構成される。
【００３１】
いくつかの実施形態において、冷却装置は、液体不透過性容器を実質的に形成する上記１つ以上の壁と熱接触する凝縮器を形成するように接続された、中空内部を有する第１蒸気不透過性構造体群、貯蔵領域を実質的に形成する上記１つ以上の壁と熱接触する蒸発器を形成するように接続された、中空内部を有する第２蒸気不透過性構造体群、および上記凝縮器と上記蒸発器の両方に取り付けられ、上記凝縮器の上記中空内部と上記蒸発器の上記中空内部との間に液体・蒸気流路を形成する、中空内部を有するコネクタを備える熱伝達システムを備える。上記コネクタによって形成された上記液体・蒸気流路によって、１つのコネクタ内で、液体は下方に流れ、蒸気は上方に流れる。いくつかの実施形態において、上記蒸発器の上記中空内部と上記蓄電器の上記中空内部との間に双方向液体・蒸気流路を形成する１つのコネクタがある。いくつかの実施形態において、２つ以上のコネクタがあり、それぞれが独立して、上記蒸発器の上記中空内部と上記蓄電器の上記中空内部との間に双方向液体・蒸気流路を形成する。図３に示す上記実施形態において、上記冷却装置は、液体不透過性容器３００を実質的に形成する１つ以上の壁３２０と熱接触する凝縮器３５０を形成するように接続された第１蒸気不透過性構造体群を備える熱伝達システムを備える。図３はまた、貯蔵領域３１０を実質的に形成する１つ以上の壁３４０と熱接触する蒸発器３６０を形成するように接続された第２蒸気不透過性構造体群を備える熱伝達システムを備える冷却装置を示す。図３に示す上記実施形態は、凝縮器３５０と蒸発器３６０の両方に取り付けられ、凝縮器３５０の中空内部と蒸発器３６０の中空内部の間に液体・蒸気流路を形成する、中空内部を有するコネクタ３７０を備える。いくつかの実施形態において、上記熱伝達システムは、連続した実質的に密閉された中空内部と、当該連続した実質的に密閉された中空内部内に密閉された蒸発性液体とを備える。図３に示すように、いくつかの実施形態において、上記コネクタは、上記冷却装置が使用姿勢にある場合、略垂直に配置される略線状構造体である。
【００３２】
いくつかの実施形態において、上記熱伝達システムの上記蒸発器および／または上記凝縮器は、上記液体不透過性容器および上記貯蔵領域の複数の壁に接続される。例えば、図７参照。いくつかの実施形態において、凝縮器を形成するように接続された上記第１蒸気不透過性構造体群は、連続しており、上記液体不透過性容器の２つ以上の壁と熱接触する。例えば、凝縮器は、互いに結合され、上記液体不透過性容器の２つ以上の壁と熱接触して配置された複数の中空管で作られてもよい。例えば、上記凝縮器は、上記液体不透過性容器の複数の壁を形成するように屈曲配置される１つのロール圧接で作られた構造体で作られてもよい。いくつかの実施形態において、蒸発器を形成するように接続された上記第２蒸気不透過性構造体群は、連続しており、上記貯蔵領域の２つ以上の壁と熱接触する。例えば、上記蒸発器は、互いに結合され、上記貯蔵領域の２つ以上の壁と熱接触して配置された複数の中空管で作られてもよい。例えば、上記蒸発器は、上記貯蔵領域の複数の壁を形成するように屈曲配置される１つのロール圧接で作られた構造体で作られてもよい。
【００３３】
いくつかの実施形態において、上記熱伝達システムは、上記冷却装置内で一方向熱伝導体を形成する。「一方向熱伝導体」は、本明細書において使用されているように、その長軸に沿った一方向への熱伝達を可能にするが、同一の長軸に沿った逆方向への熱伝達を実質的に禁止するように構成された構造体を指している。一方向熱伝導体は、当該一方向熱伝導体の長さに沿った一方向への熱エネルギー（例えば熱）の伝達を促進するが、当該一方向熱伝導体の長さに沿った逆方向への伝達を実質的に抑制するように設計提供される。いくつかの実施形態において、例えば、一方向熱伝導体は、線状ヒートパイプ装置を備える。いくつかの実施形態において、例えば、一方向熱伝導体は、熱サイホンを備える。いくつかの実施形態において、例えば、一方向熱伝導体は、熱ダイオード装置を備える。例えば、一方向熱伝導体は、熱伝導材で作られ、両端で密閉され、揮発性液体状態と気体状態の両方の状態の蒸発性液体を含む中空管を備えてもよい。例えば、一方向熱伝導体は、実質的に密閉された内部領域を有する管状構造体と、上記実質的に密閉された内部領域内に密閉された蒸発性流体とを備えてもよい。いくつかの実施形態において、例えば、一方向熱伝導体は、１／２インチ径の銅管として構成される。いくつかの実施形態において、一方向熱伝導体は、全体的または部分的にロール圧接技術を用いて作られてもよい。いくつかの実施形態において、一方向熱伝導体は、当該一方向熱伝導体の内面に沿って蒸発性液体を分配するように配置構成された内部形態を備えてもよい。例えば、一方向熱伝導体は、内面を備えてもよく、当該内面は、当該内面に沿って蒸発性液体を分配する大きさ、形状、および位置の溝、水路、または同様の構造体を有する。いくつかの実施形態において、一方向熱伝導体は、その内部全体にわたって、またはその内部の特定の領域で、内部芯構造体を備えてもよい。いくつかの実施形態において、一方向熱伝導体は、その内部全体にわたって、またはその内部の特定の領域で、内部焼結構造体を備えてもよい。
【００３４】
いくつかの実施形態において、一方向熱伝導体は、複数の中空の分岐部を備えてもよく、当該分岐部はそれぞれ、互いに蒸気接続し、揮発性液体状態と気体状態の両方の状態の蒸発性液体を備える。いくつかの実施形態は、複数の一方向熱伝導体を備える。例えば、いくつかの実施形態は、１つの軸に沿って並列配置された複数の一方向熱伝導体を備える。例えば、いくつかの実施形態は、上記冷却装置の異なる領域で利用され、互いに独立に作動する複数の一方向熱伝導体を備える。いくつかの実施形態は、同一の蒸発性液体を備える複数の一方向熱伝導体を備える。いくつかの実施形態は、異なる蒸発性液体を備え、例えば、冷却装置の異なる領域に配置された複数の一方向熱伝導体を備える。
【００３５】
一方向熱伝導体は、上記蒸発性液体の上記液体・気体状態が熱平衡状態になるように構成される。一方向熱伝導体は、製造中は実質的に真空状態にされ、その後気体不透過性密閉材で密閉されるため、上記一方向熱伝導体内に存在する実質的に全ての気体は、存在する液体の気体状態である。一方向熱伝導体内の蒸気圧は、略完全に、液体の蒸気圧であるため、全蒸気圧は、当該液体の分圧と略同等である。一方向熱伝導体は、蒸発性液体とその蒸気の両方の内部流路を備える。いくつかの実施形態において、上記一方向熱伝導体は、その内部における上記蒸発性液体の二相流に十分な内部流路を備える。例えば、コネクタは、双方向内部流路を備えてもよい。例えば、コネクタは、液体流路と蒸気流路の両方を備えてもよい。いくつかの実施形態において、一方向熱伝導体は、略垂直姿勢で作動し、下端から上端への熱伝達が、当該一方向熱伝導体内を上昇して上端で凝縮する蒸気によって、行われるように構成されてもよい。いくつかの実施形態において、上記一方向熱伝導体は、蒸発性液体を備え、当該蒸発性液体の予想表面レベルは、上記一方向熱伝導体が温度制御された容器内の予想姿勢である場合、当該容器の貯蔵領域内にある。
【００３６】
いくつかの実施形態において、例えば、一方向熱伝導体は、１種類以上のアルコールを含む蒸発性液体を備える。いくつかの実施形態において、例えば、一方向熱伝導体は、一般に冷媒として使用される１種類以上の液体を含む蒸発性液体を備える。いくつかの実施形態において、例えば、一方向熱伝導体は、水を備える。いくつかの実施形態において、例えば、一方向熱伝導体は、Ｒ−１３４Ａ冷媒、イソブタン、メタノール、アンモニア、アセトン、水、イソブテン、ペンタン、またはＲ−４０４冷媒を含む蒸発性液体を備える。
【００３７】
いくつかの実施形態は、細長構造体を備える一方向熱伝導体を備える。例えば、一方向熱伝導体は、略管状構造体を備えてもよい。一方向熱伝導体は、略平面構造体として構成されてもよい。一方向熱伝導体は、略非線形構造体として構成されてもよい。例えば、一方向熱伝導体は、非線形管状構造体として構成されてもよい。いくつかの実施形態において、１つ以上の熱伝導ユニットは、一方向熱伝導体の外面に取り付けられる。例えば、１つ以上の、熱伝導材で作られた、ひれ状構造体等の平面構造体は、一方向熱伝導体の外面に取り付けられ、上記一方向熱伝導体と隣接領域との間の熱伝達を促進するように配置されてもよい。一方向熱伝導体は、熱伝導性金属で作られてもよい。例えば、一方向熱伝導体は、銅、アルミニウム、銀、または金を含んでもよい。
【００３８】
いくつかの実施形態において、一方向熱伝導体は、略細長構造体を備えてもよい。例えば、一方向熱伝導体は、略管状構造体を備えてもよい。上記略細長構造体は、当該構造体内に気体不透過性密閉材で密閉された蒸発性液体を備える。例えば、一方向熱伝導体は、溶接または巻縮された気体不透過性密閉材を備えてもよい。いくつかの実施形態において、上記蒸発性液体は、水、エタノール、メタノール、またはブタンのうちの１つ以上を含む。実施形態における上記蒸発性液体は、上記実施形態における上記特定の一方向熱伝導体構造体における当該蒸発性液体の蒸発温度を含む要素、上記一方向熱伝導体内の気体圧力を含む要素によって選択される。上記一方向熱伝導体の上記構造体の内部は、上記実施形態に含まれる上記蒸発性液体の蒸気圧未満の気体圧力を有する。上記一方向熱伝導体が温度制御された容器内に略垂直姿勢で配置される場合、上記蒸発性液体は、上記一方向熱伝導体の下部から蒸発し、結果として生じる蒸気は、上記一方向熱伝導体の上部に上昇して凝縮し、これにより、熱エネルギーが上記一方向熱伝導体の下部から上部へ伝達される。いくつかの実施形態において、一方向熱伝導体は、上記凝縮端と上記蒸発端との間に位置しているとともに、上記冷却装置の上記液体不透過性容器と上記貯蔵領域との間に位置している断熱領域を備える構造体を備える。
【００３９】
いくつかの実施形態は、熱伝導結合ブロックおよびヒートパイプに取り付けられた一方向熱伝導体を備える。上記結合ブロックおよびヒートパイプは、例えば、上記一方向熱伝導体の長さに沿った熱伝達を穏和にするように配置構成される。
【００４０】
いくつかの実施形態において、上記凝縮器を形成するように接続された、上記中空内部を有する上記第１蒸気不透過性構造体群は、分岐構造体を形成する。例えば、図３は、凝縮器３５０を形成するように接続された構造体の分岐・ジグザグパターンを示す。ジグザグパターンは、例えば、均一に内部流体を分配し、活性熱伝達領域を形成するように配置構成されてもよい。いくつかの実施形態において、上記凝縮器を形成するように接続された、上記中空内部を有する上記第１蒸気不透過性構造体群は、分岐構造体を形成し、当該分岐構造体の分岐部の各端部は、当該分岐部の最上領域である。いくつかの実施形態において、上記凝縮器を形成するように接続された、上記中空内部を有する上記第１蒸気不透過性構造体群は、分岐構造体を形成し、上記分岐部は、当該分岐構造体の最上部で接続する。いくつかの実施形態において、上記液体不透過性容器を実質的に形成する少なくとも１つの壁は、１枚以上のロール圧接板で作られる。例えば、１枚以上のロール圧接板は、上記冷却装置の上記凝縮器を形成するように接続される、中空内部を有する第１蒸気不透過性構造体群を備えるように作られてもよく、上記１枚以上のロール圧接板は、上記液体不透過性容器を実質的に形成する上記１つ以上の壁に組み込まれてもよい。いくつかの実施形態において、上記凝縮器を形成するように接続された、上記中空内部を有する上記第１蒸気不透過性構造体群は、上記液体不透過性容器の上記１つ以上の壁のうちの少なくとも１つに内蔵されている。例えば、上記第１蒸気不透過性構造体群は、上記液体不透過性容器の１つ以上の壁を形成するロール圧接構造体の一部であってもよい。いくつかの実施形態において、上記凝縮器を形成するように接続された、上記中空内部を有する上記第１蒸気不透過性構造体群は、上記液体不透過性容器の上記１つ以上の壁のうちの少なくとも１つと直接熱接触する。
【００４１】
いくつかの実施形態において、上記蒸発器を形成するように接続された、上記中空内部を有する上記第２蒸気不透過性構造体群は、分岐構造体を形成する。図３は、例えば、蒸発器３６０を形成するように接続された構造体の分岐・ジグザグパターンを示す。ジグザグパターンは、例えば、均一に内部流体を分配し、活性熱伝達領域を形成するように配置構成されてもよい。いくつかの実施形態において、上記蒸発器を形成するように接続された、上記中空内部を有する上記第２蒸気不透過性構造体群は、分岐構造体を形成し、当該分岐構造体の分岐部の各端部は、当該分岐部の最下領域である。いくつかの実施形態において、上記蒸発器を形成するように接続された、上記中空内部を有する上記第２蒸気不透過性構造体群は、分岐構造体を形成し、上記分岐部は、当該分岐構造体の最下部で接続する。いくつかの実施形態において、上記貯蔵領域を実質的に形成する少なくとも１つの壁は、１枚以上のロール圧接板で作られる。例えば、１枚以上のロール圧接板は、上記冷却装置の上記蒸発器を形成するように接続される、中空内部を有する第２蒸気不透過性構造体群を備えるように作られてもよく、上記１枚以上のロール圧接板は、上記貯蔵領域を実質的に形成する上記１つ以上の壁に組み込まれてもよい。ロール圧接板は、貯蔵領域および／または液体不透過性容器の壁を形成するようにさらに屈曲または湾曲された１つのユニットとして作られてもよい。いくつかの実施形態において、上記蒸発器を形成するように接続された、上記中空内部を有する上記第２蒸気不透過性構造体群は、上記貯蔵領域の上記１つ以上の壁のうちの少なくとも１つに内蔵されている。いくつかの実施形態において、上記蒸発器を形成するように接続された、上記中空内部を有する上記第２蒸気不透過性構造体群は、上記貯蔵領域の上記１つ以上の壁のうちの少なくとも１つと直接熱接触する。例えば、上記第２蒸気不透過性構造体群は、上記貯蔵領域の１つ以上の壁を形成するロール圧接構造体の一部であってもよい。
【００４２】
図４は、液体不透過性容器３００内に、容器壁３２０の内面と蒸発器コイルセット３３０との間に配置されたセンサ４１０を備える冷却装置１００の実施形態を示す。上記センサは、例えば、電子温度センサ等の温度センサであってもよい。いくつかの実施形態は、上記液体不透過性容器内の上記１つ以上の壁と上記蒸発器コイルセットとの間に配置された少なくとも１つのセンサと、上記少なくとも１つの能動的冷却ユニットと上記センサとに動作可能に取り付けられた制御器とを備える。センサは、無線接続で制御器に動作可能に接続されてもよい。センサは、有線コネクタで制御器に動作可能に接続されてもよい。いくつかの実施形態において、センサは、一定時間間隔で、例えば１時間ごとに、２時間ごとに、または３時間ごとに、上記制御器に検知データを含む信号を送信するように構成される。いくつかの実施形態において、センサは、一定時間間隔で、例えば１分ごとに、２分ごとに、または３分ごとに、上記制御器に検知データを含む信号を送信するように構成される。いくつかの実施形態において、センサは、一定時間間隔で、例えば１秒ごとに、２秒ごとに、または３秒ごとに、上記制御器に検知データを含む信号を送信するように構成される。いくつかの実施形態において、センサは、検知パラメータが特定の設定値域外である場合、上記制御器に検知データを含む信号を送信するように構成される。例えば、いくつかの実施形態において、温度センサは、例えば３℃より高い温度または０℃より低い温度等の所定値域外の温度を検出する上記温度センサに応じて、取り付け制御器に信号を送信するように構成される。
【００４３】
いくつかの実施形態において、制御器は、上記センサから受信したデータに応じて能動的冷却ユニットをオン・オフする回路を備える。例えば、図４に示す上記実施形態において、上記冷却装置は、蒸発器コイルセット３３０が上記液体不透過性容器３００内に配置され、相変化物質が蒸発器コイルセット３３０の周囲の位置３０５にある場合、効率的に作動するように調整される。上記能動的冷却ユニットが作動している際に、圧縮器３３５は、冷却コイルセット３３０を冷却するように作動し、その結果、蒸発器コイルセット３３０の周囲の位置３０５にある相変化物質が冷却コイルセット３３０によって冷却される。冷却装置１００は、例えば、フロストライン４００等の液体不透過性容器３００内のある場所まで凍らせる程度に冷えている場合、効率的に作動するように調整されてもよい。温度センサ４１０は、所定のフロストライン４００と液体不透過性容器３００の壁３２０との間に、凝縮器３５０と直接接触して配置される。
【００４４】
いくつかの実施形態は、液体不透過性容器内に配置された相変化物質が所定の温度範囲内に維持される場合に、上記貯蔵領域の内部温度を所定の温度範囲内に維持するように調整される熱伝達システムを備える。例えば、冷却装置は、予想周囲温度範囲で、上記熱伝達システムが上記貯蔵領域からの熱漏出量に相当する割合で上記貯蔵領域から熱を除去するため、上記貯蔵領域の内部温度を設定温度範囲内に受動的に維持するのに十分な断熱材を備えてもよい。熱伝達システムの上記調整に含まれる要素には、当該熱伝達システムになる材料の熱伝導特性等の物性、当該熱伝達システム内の上記蒸発性液体、上記貯蔵領域および上記液体不透過性容器に対する当該熱伝達システムの位置および構成、ならびに上記液体不透過性容器内で利用される上記相変化物質が含まれる。
【００４５】
いくつかの実施形態は、上記液体不透過性容器内の上記１つ以上の壁と上記蒸発器コイルセットとの間に配置された少なくとも１つのセンサと、上記少なくとも１つの能動的冷却ユニットと上記センサとに動作可能に取り付けられた制御器とを備える。いくつかの実施形態は、上記貯蔵領域の内壁に隣接して配置された少なくとも１つのセンサと、上記少なくとも１つの能動的冷却ユニットと上記センサとに動作可能に取り付けられた制御器とを備える。いくつかの実施形態は、上記熱伝達システムの上記蒸発器に隣接して配置された少なくとも１つのセンサと、上記少なくとも１つの能動的冷却ユニットと上記センサとに動作可能に取り付けられた制御器とを備える。いくつかの実施形態は、上記センサから受信したデータに応じて上記少なくとも１つの能動的冷却ユニットをオン・オフする回路をさらに備える。例えば、温度センサは、上記液体不透過性容器内に配置され、当該温度センサからの信号を受信し、当該温度センサからの受信信号に応じて、上記少なくとも１つの能動的冷却ユニットにオン／オフ制御信号等の制御信号を送信するように構成された制御器に動作可能に接続されてもよい。一実施形態において、液体不透過性容器は、相変化物質としての水と、当該水が凍結しているか凍結しそうであるか（例えば、２℃から−１℃の温度範囲にあるかどうか）を検出するように配置、調整された温度センサとを備えるように構成されてもよい。上記温度センサに取り付けられた制御器は、上記受信データが、例えば０℃以下の凍結温度を示す場合、能動的冷却ユニットに「オフ」の制御信号を送信するように構成された回路を備えてもよい。上記制御器は、上記受信データが、例えば２℃以上の十分に温暖な温度を示す場合、能動的冷却ユニットに「オン」の制御信号を送信するように構成された回路をさらに備えてもよい。
【００４６】
いくつかの実施形態は、上記貯蔵領域から上記液体不透過性容器へ熱流量が変化することを可能にする熱伝達システムを備える。いくつかの実施形態は、上記コネクタに接続された少なくとも１つの熱制御装置を有する熱伝達システムを備え、当該熱制御装置は、上記コネクタの上記中空内部の大きさを可逆的に制御するように配置構成される。上記コネクタの上記中空内部の大きさを可逆的に制御することにより、上記熱伝達システム内の上記蒸発性液体の液体流量および蒸気流量、ひいては熱流量を変更することができる。
【００４７】
本明細書において使用されている「熱制御装置」は、上記蒸発端と上記凝縮端との間で、熱伝達システムにより、液体状態または蒸気状態の蒸発性液体の流れを調節するように配置構成された装置である。熱制御装置は、刺激に応じて構成を変更することにより、上記取り付けられた熱伝達システム全体に沿った熱伝達を変更する。いくつかの実施形態において、熱制御装置は、上記熱伝達システム内の流路を開閉する二元状態で作動する。いくつかの実施形態において、熱制御装置は、アナログ式で、上記熱伝達システム内の流路をさまざまなレベルに開閉する複数の可能な状態で作動する。例えば、熱制御装置は、複数の部分的に制限された構成を有する弁を備えてもよい。例えば、熱制御装置は、弁によって２０％制限された流れ、弁によって３０％制限された流れ、弁によって４０％制限された流れ、弁によって５０％制限された流れ、弁によって６０％制限された流れ、弁によって７０％制限された流れ、および弁によって８０％制限された流れを含む姿勢に安定的に設定されることができる弁を備えてもよい。例えば、熱制御装置は、電磁弁である弁を備えてもよい。熱制御装置は、蒸発性液体の流れを制御することによって、熱伝達システムによって伝達された熱エネルギーを増加または減少させてもよい。熱制御装置は、例えば、温度に応じて、熱伝達システムによって、液体状態または蒸気状態の蒸発性液体の流れを調節するように構成されてもよい。いくつかの実施形態において、熱制御装置は、受動装置である。例えば、受動熱制御装置は、上記熱伝達システム内の温度変化に応じて姿勢を変更するように構成されたバイメタル素子を備えてもよい。いくつかの実施形態において、熱制御装置は、例えば、作動する力を必要とし、制御器によって能動制御されている能動装置である。例えば、熱制御装置は、上記熱伝達システムの外部にある制御器と電源とに取り付けられた、上記コネクタ内などの上記熱伝達システムの内部にある電動式弁を備えていてもよい。例えば、いくつかの実施形態において、熱制御装置は、玉型弁等の弁と、当該弁に動作可能に接続されたモータと、当該モータに動作可能に接続されたバッテリーとを備える。いくつかの実施形態において、熱制御装置は、全体が上記調節された熱伝達システムの内部にある。いくつかの実施形態において、熱制御装置は、一部が上記調節された熱伝達システムの内部にあり、また、一部が上記調節された熱伝達システムの外部にあり、例えば、１つ以上の動力継手または制御機構を備える。
【００４８】
例えば、図５は、熱伝達システムのコネクタ３７０に取り付けられた熱制御装置５００を備える一実施形態を示す。上記示された実施形態において、熱制御装置５００は、コネクタ３７０内の蒸気および流体の流れを可逆的に制御するように配置、取り付けられた弁を備え、これにより、上記熱伝達システムの熱動態が調節される。いくつかの実施形態において、上記弁は、上記制御器に動作可能に接続され、上記制御器は、上記弁に制御信号を送信するように構成された回路を備える。例えば、上記弁は、無線接続で上記制御器に動作可能に接続されてもよい。例えば、上記弁は、有線コネクタで上記制御器に動作可能に接続されてもよい。例えば、上記制御器は、上記液体不透過性容器内に配置されたセンサから上記制御器によって受信されたデータに応じて、上記弁に制御信号を送信するように構成された回路を備えてもよい。例えば、上記制御器は、当該制御器によって上記圧縮器に送信された制御信号に協調して、上記弁に制御信号を送信するように構成された回路を備えてもよい。いくつかの実施形態において、熱制御装置は、受動装置であり、上記制御器に動作可能に接続されない。例えば、熱制御装置は、コネクタの温度に応じて、当該コネクタに取り付けられた弁を開閉するように調整された機構を備えてもよい。
【００４９】
いくつかの実施形態は、上記熱伝達システムの上記凝縮器に隣接して配置された発熱体を備え、当該発熱体は、上記凝縮器が所定の最低温度より低い温度に冷却されることがないようにするために、上記凝縮器に可逆的かつ制御可能に熱を供給するように構成される。例えば、発熱体は、いくつかの実施形態において、制御器に動作可能に接続され、当該制御器から送信された制御信号に対応するように構成された電気発熱体を備えてもよい。上記制御器は、温度センサからの信号を受信し、当該温度センサのデータに応じて上記発熱体に制御信号を送信するように構成されてもよい。例えば、一実施形態は、蒸発器に隣接して配置された温度センサを備えてもよく、当該温度センサは、制御器にデータを送信し、当該制御器は、上記温度センサから受信したデータに応じて上記発熱体に制御信号を送信する。いくつかの実施形態において、制御器は、能動的冷却ユニットからデータを受信し、当該能動的冷却ユニットからの受信データに応じて、熱伝達システムの凝縮器に隣接して配置された発熱体に制御信号を送信するように構成されてもよい。例えば、制御器は、能動的冷却ユニットが例えば６時間、８時間、１２時間、または２４時間にわたって作動した後、発熱体をオンするように構成されてもよい。
【００５０】
いくつかの実施形態において、冷却装置は、自装置の内部を第２温度範囲内に維持するように配置構成された第２貯蔵領域を備える。例えば、第２温度範囲は、氷点下（例えば、０℃未満）であってもよい。いくつかの実施形態において、第２温度範囲は、−５℃から−１５℃の間であってもよい。いくつかの実施形態において、第２温度範囲は、−１５℃から−２５℃の間であってもよい。冷却装置は、例えば、ユーザーが上記第２貯蔵領域にアクセスするように配置された第２ドアを備えてもよい（例えば、図２参照）。冷却装置のいくつかの実施形態は、上記液体不透過性容器を実質的に形成する上記１つ以上の壁の外面に、上記凝縮器から遠位に取り付けられ、凍結相変化物質の１つ以上の容器を取り囲む大きさおよび形状の枠と、上記枠内に、上記１つ以上の容器を上記１つ以上の壁に押しつけるように配向された少なくとも１つのテンショナとを備える。いくつかの実施形態において、上記枠は、上記１つ以上の壁の上記外面に隣接した、凍結相変化物質の上記１つ以上の容器の位置決めを補助するように配向された少なくとも１つの位置決め要素を備える。いくつかの実施形態において、上記蒸発器コイルセットは、上記液体不透過性容器の外側の枠に隣接して配置された外側部分と、上記液体不透過性容器の内部に配置された内側部分とを備える。いくつかの実施形態は、圧縮器に独立に取り付けられた２つ以上の蒸発器コイルセットを備え、第１の蒸発器コイルセットは、上記液体不透過性容器の内側に配置され、第２の蒸発器コイルセットは、上記液体不透過性容器の外側に隣接して配置される。
【００５１】
例えば、図６は、枠６００が液体不透過性容器３００の壁３２０の外面に取り付けられた実施形態を示す。上記液体不透過性容器は、当該実施形態の使用時に蒸発器コイルセットを取り囲む、相変化物質を備えるであろう内部位置３０５を備える（図示の都合上、当該蒸発器コイルセットは図６に示されていない）。上記枠は、液体不透過性容器３００の壁３２０の外面の部分６４０に隣接して、凍結相変化物質の容器６１０を保持するように配置配向される。例えば、凍結相変化物質を保持するための容器は、いくつかの実施形態において、世界保健機関（ＷＨＯ）基準の、医療奉仕活動用の氷嚢を備えてもよい。図６に示す枠６００の上記実施形態は、壁３２０の外面の部分６４０に隣接して、凍結相変化物質の容器６１０の位置を定めるように配向される、略平坦な外側部分６５０を備える。２つの略平坦な対向する面を備えた位置決め要素６２０は、上記枠の略平坦な外側部分６５０の内面と、凍結相変化物質の容器６１０の略平坦な外壁との間に位置する。図６に示す上記実施形態において、枠６００は、２つの別個の位置決め要素６２０を備える。上記位置決め要素は、それぞれつまみ６２５を一端に備え、つまみ６２５は、ユーザーが上記位置決め要素を、枠６００に対して可逆的に滑動させるのを補助する大きさおよび形状であるため、隣接する容器６１０の取り外しを補助する。枠６００の略平坦な外側部分６５０は、誘導部６３０を備えてもよく、当該誘導部は、各位置決め要素６２０の１つ以上のつまみの位置を定める大きさおよび形状であるため、位置決め要素６２０の、枠６００に対する相対位置を維持する。いくつかの実施形態は、枠内に１つ以上のテンション要素を備え、当該テンション要素は、凍結相変化物質の１つ以上の容器を、液体不透過性容器の壁の外面と直接接触して保持するように配向構成される。例えば、枠は、内部ねじりバネを備えてもよい。例えば、枠は、容器を保持するように位置を定められ、配置された半楕円バネを備えてもよい。
【００５２】
いくつかの実施形態は、上記液体不透過性容器を実質的に形成する上記１つ以上の壁の外面に、上記凝縮器から遠位に取り付けられ、凍結相変化物質の１つ以上の容器を取り囲む大きさおよび形状の枠を備え、上記枠は、第２液体不透過性容器内に配置される。上記枠は、上記第２液体不透過性容器と熱接触する、凍結相変化物質の１つ以上の容器の位置を維持するように配置構成されてもよい。上記第２液体不透過性容器は、第２液体不透過性容器と熱接触する、凍結相変化物質の１つ以上の容器を凍結させ、その凍結状態を維持するのに十分な熱特性を有する物質を含むように構成されてもよい。上記第２液体不透過性容器は、相変化物質を含むように構成されてもよい。いくつかの実施形態において、上記第２液体不透過性容器は、第１相変化物質より凍結温度が低い第２相変化物質を含むように構成されてもよい。いくつかの実施形態において、上記第２液体不透過性容器は、第１相変化物質より融点が高い第２相変化物質を含むように構成されてもよい。例えば、上記第１液体不透過性容器が相変化物質として水を含む実施形態において、上記第２液体不透過性容器は、（無塩）水より凍結温度が低い塩水を含む。例えば、上記第１液体不透過性容器が相変化物質として水を含む実施形態において、上記第２液体不透過性容器は、凍結温度が−１０℃である相変化物質を含む。例えば、上記第１液体不透過性容器が相変化物質として水を含む実施形態において、上記第２液体不透過性容器は、凍結温度が−２０℃である相変化物質を含む。
【００５３】
冷却装置のいくつかの実施形態は、冷却装置の内部にある相変化物質を保持するように構成された液体不透過性容器を実質的に形成する１つ以上の壁であって、凝縮器を形成するように接続された、中空内部を有する第１蒸気不透過性構造体群を一体的に備える１つ以上の壁と、上記液体不透過性容器の内部に配置された蒸発器コイルセットを備える少なくとも１つの能動的冷却ユニットと、貯蔵領域を実質的に形成し、蒸発器を形成するように接続された、中空内部を有する第２蒸気不透過性構造体群を一体的に備える１つ以上の壁と、上記凝縮器と上記蒸発器の両方に取り付けられ、上記凝縮器の上記中空内部と上記蒸発器の上記中空内部との間に液体・蒸気流路を形成するコネクタとを備え、上記凝縮器、上記蒸発器、および上記コネクタは、上記冷却装置に内蔵の熱伝達システムを形成する。
【００５４】
いくつかの実施形態において、上記コネクタは、上記熱伝達システムの上記蒸発器の内部と上記凝縮器の内部との間で液体と蒸気の両方が流れることを可能にする大きさおよび形状である。例えば、図５は、冷却装置１００に内蔵の熱伝達システムの蒸発器３６０と凝縮器３５０との間に配置されたコネクタ３７０を示す。図５に示す上記実施形態において、上記熱伝達システムは、液体および蒸気がその中空内部それぞれにおいて双方向に移動し、直線状かつ実質的に垂直（すなわち図５においては上下）の経路に沿って流れ、作動する。
【００５５】
図７は、冷却装置１００の実施形態を示す。上記示された実施形態において、液体不透過性容器３００は、壁３２０で作られる。液体不透過性容器３００の壁３２０のうちの２つは、熱伝達システムの凝縮器３５０と熱接触する。例えば、上記壁は、上記液体不透過性容器の上記壁を形成するように屈曲配置される上記凝縮器を備える層状圧延接合材で作られてもよい。蒸発器コイルセット３３０は、液体不透過性容器３００内に配置され、センサ４１０は、蒸発器コイルセット３３０の縁部と、凝縮器３５０の一部と直接熱接触する液体不透過性容器３００の壁３２０の内部との間に配置される。蒸発器コイルセット３３０は、圧縮器３３５に動作可能に取り付けられ、圧縮器３３５は、制御器３８０と電力モニター３９０とにさらに取り付けられてもよい。冷却装置１００は、配電網システム等の電源への電源コネクタ３９５を備える。図７に示す凝縮器３５０の上記実施形態は、凝縮器３５０内の液体・蒸気流路内に複数の内部ループを備えるように作られる。図７に示す冷却装置１００は、上記熱伝達システム内に２つのコネクタ３７０を備える。コネクタ３７０それぞれによって、上記熱伝達システムの中空内部内の蒸発性液体の双方向の液体・蒸気流経路が提供される。
【００５６】
図７に示す冷却装置１００はまた、壁３４０によって実質的に規定される貯蔵領域３１０を備える。貯蔵領域３１０の壁３４０のうちの２つは、上記熱伝達システムの蒸発器３６０と熱接触する。例えば、上記壁は、上記貯蔵領域の上記壁を形成するように屈曲配置される上記蒸発器を備える層状圧延接合材で作られてもよい。図７に示す上記実施形態において、蒸発器３６０は、２つの別個の経路を備え、各々は、蒸発器３６０の各面に一体化される。上記２つの別個の経路はそれぞれ、上記中空内部内の双方向の液体・蒸気流経路を提供するように構成される。蒸発器３６０の内部の上記２つの経路は、それらの最下点７００で接続される。
【００５７】
いくつかの実施形態において、冷却装置は、蒸発器、凝縮器、および１つ以上のコネクタを備える熱伝達システムであって、各コネクタは、上記蒸発器の内部と上記凝縮器の内部との間に二重蒸気・液体流路を形成する。いくつかの実施形態において、冷却装置は、蒸発器、凝縮器、および１つのコネクタを備える熱伝達システムを備える。いくつかの実施形態において、冷却装置は、蒸発器、凝縮器、および２つのコネクタを備える熱伝達システムを備える。例えば、上記２つのコネクタは、上記冷却装置の２つの異なる面に隣接して配置されてもよい。例えば、上記２つのコネクタは、上記冷却装置の１つの面に隣接して配置されてもよい。いくつかの実施形態において、冷却装置は、蒸発器、凝縮器、および３つのコネクタを備える熱伝達システムを備える。例えば、上記３つのコネクタは、２つの側面および背面等の、上記冷却装置の異なる３つの面に隣接して配置されてもよい。例えば、上記３つのコネクタは、上記冷却装置の１つの面に隣接して配置されてもよい。
【００５８】
いくつかの実施形態は、凝縮器を形成するように接続された、中空内部を有する第１蒸気不透過性構造体群を備える。上記蒸気不透過性構造体は、液体不透過性でもある。上記蒸気不透過性構造体は、上記実施形態によっては、ロール圧接材または他の材料でできた複数の管、管状構造体、領域で作られてもよい。いくつかの実施形態は、第１蒸気不透過性構造体群から形成された凝縮器を備え、当該蒸気不透過性構造体は、複数の部分を有し、各部分は、低い位置で上記コネクタに接続される。いくつかの実施形態は、第１蒸気不透過性構造体群から形成された凝縮器を備え、当該蒸気不透過性構造体は、複数の部分を有し、各部分は、低い位置で上記コネクタに接続され、上方位置で少なくとも１つの他の部分に接続される。いくつかの実施形態は、第１蒸気不透過性構造体群から形成された凝縮器を備え、当該蒸気不透過性構造体は、複数の部分を有し、各部分は、低い位置で、上記コネクタおよび少なくとも１つの中間位置レベルに接続される。例えば、いくつかの実施形態において、上記第１蒸気不透過性構造体群は、ジグザグパターンを形成し、上記構造体は、当該パターンの交点で互いに接続される。
【００５９】
いくつかの実施形態は、蒸発器を形成するように接続された、中空内部を有する第２蒸気不透過性構造体群を備える。上記蒸気不透過性構造体は、液体不透過性でもある。上記蒸気不透過性構造体は、上記実施形態によっては、ロール圧接材または他の材料でできた複数の管、管状構造体、領域で作られてもよい。いくつかの実施形態は、第２蒸気不透過性構造体群から形成された蒸発器を備え、当該蒸気不透過性構造体は、複数の部分を有し、各部分は、上方位置で上記コネクタに接続される。いくつかの実施形態は、第２蒸気不透過性構造体群から形成された蒸発器を備え、当該蒸気不透過性構造体は、複数の部分を有し、各部分は、上方位置で上記コネクタに接続され、下方位置で少なくとも１つの他の部分に接続される。いくつかの実施形態は、第２蒸気不透過性構造体群から形成された蒸発器を備え、当該蒸気不透過性構造体は、複数の部分を有し、各部分は、上方位置で、上記コネクタおよび少なくとも１つの中間位置レベルに接続される。例えば、いくつかの実施形態において、上記第２蒸気不透過性構造体群は、ジグザグパターンを形成し、上記構造体は、当該パターンの交点で互いに接続される。
【００６０】
いくつかの実施形態において、上記熱伝達システムは、連続したロール圧接材で作られ、当該ロール圧接材は、上記蒸発器、上記凝縮器、および上記１つ以上のコネクタを備える。例えば、ロール圧接材は、所望の内部流路が蒸発器、凝縮器、および当該蒸発器と当該凝縮器との間の1つ以上の流路を形成して、作られてもよく、製造時に初期状態では略平坦なロール圧接材は、上記貯蔵領域および／または上記液体不透過性容器の壁を屈曲形成する。例えば、上記蒸発器、上記凝縮器、および上記１つ以上のコネクタを備えるように作られ、かつ製造時に略平坦なロール圧接材は、製造後に上記貯蔵領域および／または上記液体不透過性容器の面を形成するように再構成されてもよく、再構成された形態は、冷却装置の組み立て中に、当該冷却装置に組み込まれてもよい。いくつかの実施形態において、冷却装置は、冷却装置の内部にある相変化物質を保持するように構成された液体不透過性容器を実質的に形成する１つ以上の壁と、上記液体不透過性容器の内部に配置された蒸発器コイルセットを備える少なくとも１つの能動的冷却ユニットと、上記液体不透過性容器内の上記１つ以上の壁と上記蒸発器コイルセットとの間に配置されたセンサと、貯蔵領域を実質的に形成する１つ以上の壁と、液体不透過性容器を実質的に形成する上記１つ以上の壁と熱接触する凝縮器を形成するように接続された、中空内部を有する第１蒸気不透過性構造体群、貯蔵領域を実質的に形成する上記１つ以上の壁と熱接触する蒸発器を形成するように接続された、中空内部を有する第２蒸気不透過性構造体群、および上記凝縮器と上記蒸発器の両方に取り付けられ、上記凝縮器の上記中空内部と上記蒸発器の上記中空内部との間に液体・蒸気流路を形成するコネクタを備える熱伝達システムと、上記少なくとも１つの能動的冷却ユニットと上記センサとに動作可能に取り付けられた制御器とを備える。
【００６１】
いくつかの実施形態において、冷却装置はまた、上記液体不透過性容器に内蔵の、上記液体不透過性容器の縁部を越えて突出する領域を備える熱伝導壁と、上記熱伝導壁の上記液体不透過性容器の縁部を越えて突出する上記熱伝導壁の上記領域に取り付けられ、上記熱伝導壁の上記領域に隣接した断熱層を備える囲壁と、上記囲壁内に取り付けられた、凍結相変化物質の１つ以上の容器を取り囲む大きさおよび形状の枠とを備える。使用中、熱が上記冷却装置の面を通過する際、当該熱は、上記熱伝導壁に沿って、上記液体不透過性容器にも、分散される。この散熱は、上記囲壁の上記内部貯蔵領域を、相変化物質の１つ以上の容器を凍結させる所定の温度範囲内に維持するのを補助する。例えば、熱伝導壁は、銅またはアルミニウム等の熱伝導性金属を含んでもよい。例えば、断熱層は、発泡断熱材または１つ以上の真空断熱パネル等の、冷却装置に使用されているような標準的な断熱材料を含んでもよい。囲壁内に取り付けられている、凍結相変化物質の１つ以上の容器を取り囲む大きさおよび形状の枠は、１つ以上の位置決め要素および／または１つ以上の引張要素等の枠要素を備えてもよい。
【００６２】
図８は、略断面図において、冷却装置の態様を示す。図示の都合上、図８は、本明細書に記載されている他の機構と組み合わせてもよい冷却装置の部分を示す。図８は、略平坦な壁３２０を備える液体不透過性容器３００を示す。液体不透過性容器３００の内部は、冷却コイルセットに隣接した空間を形成する大きさおよび形状の領域３０５を有する。液体不透過性容器３００の略平坦な壁３２０の垂直外壁は、熱伝導壁８０５である。熱伝導壁８０５は、下外壁８３０および液体不透過性容器３００の下壁と共に、囲壁８１０を形成する。囲壁８１０内に、その壁に隣接した位置に配置された断熱層８２０がある。凍結相変化物質の１つ以上の容器を取り囲む大きさおよび形状の枠６００は、断熱層８２０内に配置される。上記示された実施形態において、内壁８５０によって、断熱層８２０と枠６００との間に配置された相変化物質８４０の層と上記断熱層とが仕切られる。一実施形態において、上記システムは、当該システムが上記冷却装置の機能専用に構成された特別なシステムとして動作するとともに、当該システムの任意の関連コンピュータデバイスが、一般用途のコンピュータとしてではなく、特許請求されたシステムのための特定用途のコンピュータとして動作するように統合されている。一実施形態において、上記システムの少なくとも１つの関連コンピュータデバイスは、一般用途のコンピュータとしてではなく、特許請求されたシステムのための特定用途のコンピュータとして動作する。一実施形態において、上記システムの関連コンピュータデバイスのうちの少なくとも１つは、その少なくとも１つのコンピュータデバイスに命令するように特定のＲＯＭでハードウェアに組み込まれている。一実施形態において、当業者は、上記冷却装置およびシステムが、少なくとも断続的な電源を基盤とした冷却の技術分野において、例えば遠隔地または資源が不足している地域において、進歩をもたらすことがわかる。
【００６３】
本開示は、さまざまな例示的な実施形態を参照して行われてきた。しかしながら、当業者は、本開示の範囲から逸脱することなく、上記の実施形態に対して変更および修正を行ってもよいことがわかるだろう。例えば、さまざまな動作ステップも、動作ステップを実行するための構成要素も、特定の用途に応じて、または上記システムの作動に関連する任意の数の費用関数を考慮して、別の方法で実施されてもよい（例えば、上記ステップのうちの１つ以上が削除、修正、または他のステップと組み合わせされてもよい）。
【００６４】
さらに、構成要素を含めて本開示の原理は、コンピュータ読み取り可能なプログラムコード手段が具現化されたコンピュータ読み取り可能な記憶媒体におけるコンピュータプログラム製品に反映されてもよい。磁気記憶装置（ハードディスクおよびフロッピーディスク等）、光学式記憶装置（ＣＤ−ＲＯＭ、ＤＶＤ、およびブルーレイディスク等）、および／またはフラッシュメモリ等を含めて任意の一時的でない有形のコンピュータ読み取り可能な記憶媒体を利用してもよい。これらのコンピュータプログラム命令は、コンピュータまたは他のプログラム可能なデータ処理装置で実行する命令が、特定された機能を実行する手段を生み出すような機械を製造するように、一般用途のコンピュータ、特定用途のコンピュータ、または他のプログラム可能なデータ処理装置に書き込まれてもよい。例えば、上記コンピュータプログラム命令は、上記冷却装置の一実施形態の制御器の回路に組み込まれてもよい。これらのコンピュータプログラム命令はまた、コンピュータまたは他のプログラム可能なデータ処理装置に、コンピュータ読み取り可能なメモリに記憶された命令が、特定された機能を実行する実行手段を含む製品を製造するような特定の方法で機能するように指示することが可能なコンピュータ読み取り可能なメモリに記憶されてもよい。上記コンピュータプログラム命令はまた、一連の動作ステップをコンピュータまたは他のプログラム可能な装置において実行させ、コンピュータまたは他のプログラム可能な装置で実行する命令が、特定された機能を実行するステップを提供するようなコンピュータ実行プロセスを生み出すように、コンピュータまたは他のプログラム可能なデータ処理装置に読み込まれてもよい。
【００６５】
一般的な意味で、本明細書に記載されているさまざまな態様は、さまざまな種類の「電気回路」で構成されていると考えられる、さまざまなハードウェア、ソフトウェア（例えば、ハードウェア仕様として機能する高水準コンピュータプログラム）、ファームウェア、および／またはそれらの任意の組み合わせによって、個別におよび／または一括して実行されてもよい。したがって、本明細書中で使用されているように、「電気回路」の例としては、少なくとも１つのディスクリート電気回路を有する電気回路、少なくとも１つの集積回路を有する電気回路、少なくとも１つの特定用途向け集積回路を有する電気回路、コンピュータプログラムによって構成された汎用コンピュータデバイス（例えば、本明細書に記載されているプロセスおよび／または装置を少なくとも部分的に実行するコンピュータプログラムによって構成された汎用コンピュータ、または本明細書に記載されているプロセスおよび／または装置を少なくとも部分的に実行するコンピュータプログラムによって構成されたマイクロプロセッサ）、メモリ装置を形成する電気回路（例えば、メモリの形態（例えば、ランダムアクセス、フラッシュ、リードオンリー等））、および／または通信装置を形成する電気回路（例えば、モデム、通信交換、光学−電気機器等）が挙げられるが、これらに限定されない。本明細書に記載されている発明特定事項は、アナログ形式で、デジタル形式で、またはそれらの形式を組み合わせて実行されてもよい。
【００６６】
本明細書は、さまざまな実施形態を参照して記載されてきた。しかしながら、本開示の範囲から逸脱することなく、さまざまな修正および変更がなされてもよい。したがって、本開示は、限定的というよりは例示的な意味で考えられるべきであり、このような修正は全て本開示の範囲に含まれることが意図されている。同様に、利点、他の効果、および課題を解決するための手段については、さまざまな実施形態を参照して上述されてきた。しかしながら、利点、効果、課題を解決するための手段、およびなんらかの利点、効果、または解決策をもたらすもしくはより際立たせるいかなる要素も、重大な、必要な、または不可欠な構成もしくは要素として解釈されるべきではない。本明細書で使用されているように、「備える(comprises)」、「備える(comprising)」、および他のいかなる変化形も、要素一覧を備えるプロセス、方法、品物、または装置がそれらの要素のみを含むのではなく、明確に記載されていないもしくはそのようなプロセス、方法、システム、品物、または装置に固有ではない他の要素も備えてもよいような非排他的包含を含むことが意図されている。
【００６７】
本明細書に記載されている発明の態様は、以下の番号が付された節に示されている。
【００６８】
１．冷却装置の内部にある相変化物質を保持するように構成された液体不透過性容器を実質的に形成する１つ以上の壁と、
上記液体不透過性容器の内部に配置された蒸発器コイルセットを備える少なくとも１つの能動的冷却ユニットと、
貯蔵領域を実質的に形成する１つ以上の壁と、
液体不透過性容器を実質的に形成する上記１つ以上の壁と熱接触する凝縮器を形成するように接続された、中空内部を有する第１蒸気不透過性構造体群、貯蔵領域を実質的に形成する上記１つ以上の壁と熱接触する蒸発器を形成するように接続された、中空内部を有する第２蒸気不透過性構造体群、および上記凝縮器と上記蒸発器の両方に取り付けられ、上記凝縮器の上記中空内部と上記蒸発器の上記中空内部との間に液体・蒸気流路を形成する、中空内部を有するコネクタを備える熱伝達システムと、
を備えることを特徴とする冷却装置。
【００６９】
２．上記液体不透過性容器は、上記冷却装置内に、上記貯蔵領域の上方に配置されることを特徴とする節１に記載の冷却装置。
【００７０】
３．上記液体不透過性容器は、
上記蒸発器コイルセットが通過できる大きさ、形状、および位置の開口と、
上記開口の表面と上記蒸発器コイルセットの表面との間の液体不透過性密閉材と、
を備えることを特徴とする節１に記載の冷却装置。
【００７１】
４．液体不透過性容器を実質的に形成する上記１つ以上の壁は、複数の層を備え、上記凝縮器は、当該複数の層のうちの少なくとも１つの表面に隣接して配置されることを特徴とする節１に記載の冷却装置。
【００７２】
５．上記液体不透過性容器を実質的に形成する上記１つ以上の壁は、複数の層を備え、当該１つ以上の層のうちの少なくとも１つは、非平面領域を備え、上記液体不透過性容器の複数の面を形成することを特徴とする節１に記載の冷却装置。
【００７３】
６．上記貯蔵領域を実質的に形成する上記１つ以上の壁は、アクセス開口部を形成するための位置、大きさ、および形状の開口を有することを特徴とする節１に記載の冷却装置。
【００７４】
７．上記貯蔵領域を実質的に形成する上記１つ以上の壁は、ドアと可逆的に結合するための位置、大きさ、および形状の開口を備えることを特徴とする節１に記載の冷却装置。
【００７５】
８．上記貯蔵領域を実質的に形成する上記１つ以上の壁は、立方構造の５面を形成することを特徴とする節１に記載の冷却装置。
【００７６】
９．上記貯蔵領域を実質的に形成する上記１つ以上の壁は、複数の層を備え、上記蒸発器は、当該複数の層のうちの少なくとも１つの表面に隣接して配置されることを特徴とする節１に記載の冷却装置。
【００７７】
１０．上記少なくとも１つの能動的冷却ユニットは、能動的冷却システムを備えることを特徴とする節１に記載の冷却装置。
【００７８】
１１．上記少なくとも１つの能動的冷却ユニットは、電動圧縮システムを備えることを特徴とする節１に記載の冷却装置。
【００７９】
１２．上記蒸発器コイルセットを備える上記少なくとも１つの能動的冷却ユニットは、
上記液体不透過性容器を実質的に形成する上記１つ以上の壁の外面に隣接して配置された上記蒸発器コイルセットの第１部分と、
上記液体不透過性容器の内部に配置された上記蒸発器コイルセットの第２部分と、
凍結相変化物質の１つ以上の容器を取り囲む大きさおよび形状の、上記蒸発器コイルセットの上記第１部分と熱接触する枠と、
を備えることを特徴とする節１に記載の冷却装置。
【００８０】
１３．上記熱伝達システムは、上記冷却装置内で一方向熱伝導体を形成することを特徴とする節１に記載の冷却装置。
【００８１】
１４．上記熱伝達システムは、連続した実質的に密閉された中空内部と、当該連続した実質的に密閉された中空内部内に密閉された蒸発性液体とを備えることを特徴とする節１に記載の冷却装置。
【００８２】
１５．上記凝縮器を形成するように接続された、上記中空内部を有する上記第１蒸気不透過性構造体群は、分岐構造体を形成することを特徴とする節１に記載の冷却装置。
【００８３】
１６．上記凝縮器を形成するように接続された、上記中空内部を有する上記第１蒸気不透過性構造体群は、上記液体不透過性容器の上記１つ以上の壁のうちの少なくとも１つに内蔵されていることを特徴とする節１に記載の冷却装置。
【００８４】
１７．上記凝縮器を形成するように接続された、上記中空内部を有する上記第１蒸気不透過性構造体群は、上記液体不透過性容器の上記１つ以上の壁のうちの少なくとも１つと直接熱接触することを特徴とする節１に記載の冷却装置。
【００８５】
１８．上記蒸発器を形成するように接続された、上記中空内部を有する上記第２蒸気不透過性構造体群は、分岐構造体を形成することを特徴とする節１に記載の冷却装置。
【００８６】
１９．上記蒸発器を形成するように接続された、上記中空内部を有する上記第２蒸気不透過性構造体群は、上記液体不透過性容器の上記１つ以上の壁のうちの少なくとも１つに内蔵されていることを特徴とする節１に記載の冷却装置。
【００８７】
２０．上記蒸発器を形成するように接続された、上記中空内部を有する上記第２蒸気不透過性構造体群は、上記液体不透過性容器の上記１つ以上の壁のうちの少なくとも１つと直接熱接触することを特徴とする節１に記載の冷却装置。
【００８８】
２１．上記コネクタは、上記冷却装置が使用姿勢にある場合、略垂直に配置される略線状構造体であることを特徴とする節１に記載の冷却装置。
【００８９】
２２．上記コネクタは、上記蒸発器に取り付けられた第１端部と、上記凝縮器に取り付けられた第２端部とを有する複数の導管を備え、各導管は、上記蒸発器の内部と上記凝縮器の内部との間に、液体および蒸気の双方向の流路を提供するように配置構成されることを特徴とする節１に記載の冷却装置。
【００９０】
２３．上記液体不透過性容器内に配置された相変化物質をさらに備えることを特徴とする節１に記載の冷却装置。
【００９１】
２４．上記液体不透過性容器の上面内に、ユーザーが上記液体不透過性容器の内部にアクセスするように構成されたアクセス蓋をさらに備えることを特徴とする節１に記載の冷却装置。
【００９２】
２５．上記コネクタに接続され、上記コネクタの上記中空内部の大きさを可逆的に制御するように配置構成された少なくとも１つの弁をさらに備えることを特徴とする節１に記載の冷却装置。
【００９３】
２６．上記液体不透過性容器内に、上記１つ以上の壁と上記蒸発器コイルセットとの間に配置された少なくとも１つのセンサと、
上記少なくとも１つの能動的冷却ユニットと上記センサとに動作可能に取り付けられた制御器と、
をさらに備えることを特徴とする節１に記載の冷却装置。
【００９４】
２７．上記制御器は、上記センサから受信したデータに応じて上記少なくとも１つの能動的冷却ユニットをオン・オフする回路を備えることを特徴とする節２６に記載の冷却装置。
【００９５】
２８．上記コネクタに接続され、上記コネクタの上記中空内部の大きさを可逆的に制御するように配置構成された熱制御装置と、
上記液体不透過性容器内に、上記１つ以上の壁と上記蒸発器コイルセットとの間に配置された少なくとも１つのセンサと、
上記熱制御装置と上記センサとに動作可能に取り付けられた制御器と、
をさらに備えることを特徴とする節１に記載の冷却装置。
【００９６】
２９．上記制御器は、上記センサから受信されたデータに応じて、上記熱制御装置に制御信号を送信する回路を備えることを特徴とする節２８に記載の冷却装置。
【００９７】
３０．上記液体不透過性容器を実質的に形成する上記１つ以上の壁の外面に、上記凝縮器から遠位に取り付けられ、凍結相変化物質の１つ以上の容器を取り囲む大きさおよび形状の枠と、
上記枠内に、上記１つ以上の容器を上記１つ以上の壁に押しつけるように配向された少なくとも１つのテンショナと、
をさらに備えることを特徴とする節１に記載の冷却装置。
【００９８】
３１．上記枠は、上記１つ以上の壁の上記外面に隣接した、凍結相変化物質の上記１つ以上の容器の位置決めを補助するように配向された少なくとも１つの位置決め要素を備えることを特徴とする節３０に記載の冷却装置。
【００９９】
３２．上記枠は、第２液体不透過性容器内に配置されることを特徴とする節３０に記載の冷却装置。
【０１００】
３３．上記液体不透過性容器、上記蒸発器コイルセット、貯蔵領域を実質的に形成する上記１つ以上の壁、および上記熱伝達システムを取り囲む外郭と、
上記外郭内に、ユーザーが上記貯蔵領域にアクセスすることを可逆的に可能にするように配置されたドアと、
をさらに備えることを特徴とする節１に記載の冷却装置。
【０１０１】
３４．上記制御器に動作可能に取り付けられた電力モニターをさらに備えることを特徴とする節１に記載の冷却装置。
【０１０２】
３５．上記液体不透過性容器に内蔵の、上記液体不透過性容器の縁部を越えて突出する領域を備える熱伝導壁と、
上記熱伝導壁の上記液体不透過性容器の縁部を越えて突出する上記熱伝導壁の上記領域に取り付けられ、上記熱伝導壁の上記領域に隣接した断熱層を備える囲壁と、
上記囲壁内に取り付けられた、凍結相変化物質の１つ以上の容器を取り囲む大きさおよび形状の枠と、
をさらに備えることを特徴とする節１に記載の冷却装置。
【０１０３】
３６．冷却装置の内部にある相変化物質を保持するように構成された液体不透過性容器を実質的に形成する１つ以上の壁であって、凝縮器を形成するように接続された、中空内部を有する第１蒸気不透過性構造体群を一体的に備える１つ以上の壁と、
上記液体不透過性容器の内部に配置された蒸発器コイルセットを備える少なくとも１つの能動的冷却ユニットと、
貯蔵領域を実質的に形成する１つ以上の壁であって、蒸発器を形成するように接続された、中空内部を有する第２蒸気不透過性構造体群を一体的に備える１つ以上の壁と、
上記凝縮器と上記蒸発器の両方に取り付けられ、上記凝縮器の上記中空内部と上記蒸発器の上記中空内部との間に液体・蒸気流路を形成するコネクタと、
を備え、
上記凝縮器、上記蒸発器、および上記コネクタは、上記冷却装置に内蔵の熱伝達システムを形成することを特徴とする冷却装置。
【０１０４】
３７．上記液体不透過性容器は、上記冷却装置内に、上記貯蔵領域の上方に配置されることを特徴とする節３６に記載の冷却装置。
【０１０５】
３８．上記液体不透過性容器は、
上記蒸発器コイルセットが通過できる大きさ、形状、および位置の開口と、
上記開口の表面と上記蒸発器コイルセットの表面との間の液体不透過性密閉材と、
を備えることを特徴とする節３６に記載の冷却装置。
【０１０６】
３９．液体不透過性容器を実質的に形成する上記１つ以上の壁は、複数の層を備え、上記凝縮器は、当該複数の層のうちの少なくとも１つの表面に隣接して配置されることを特徴とする節３６に記載の冷却装置。
【０１０７】
４０．上記液体不透過性容器を実質的に形成する上記１つ以上の壁は、複数の層を備え、当該１つ以上の層のうちの少なくとも１つは、非平面領域を備え、上記液体不透過性容器の複数の面を形成することを特徴とする節３６に記載の冷却装置。
【０１０８】
４１．上記凝縮器を形成するように接続された、上記中空内部を有する上記第１蒸気不透過性構造体群は、分岐構造体を形成することを特徴とする節３６に記載の冷却装置。
【０１０９】
４２．上記凝縮器を形成するように接続された、上記中空内部を有する上記第１蒸気不透過性構造体群は、上記液体不透過性容器の上記１つ以上の壁のうちの少なくとも１つに内蔵されていることを特徴とする節３６に記載の冷却装置。
【０１１０】
４３．上記凝縮器を形成するように接続された、上記中空内部を有する上記第１蒸気不透過性構造体群は、上記液体不透過性容器の上記１つ以上の壁のうちの少なくとも１つと直接熱接触することを特徴とする節３６に記載の冷却装置。
【０１１１】
４４．上記少なくとも１つの能動的冷却ユニットは、能動的冷却システムを備えることを特徴とする節３６に記載の冷却装置。
【０１１２】
４５．上記少なくとも１つの能動的冷却ユニットは、電動圧縮システムを備えることを特徴とする節３６に記載の冷却装置。
【０１１３】
４６．上記少なくとも１つの能動的冷却ユニットは、
上記液体不透過性容器を実質的に形成する上記１つ以上の壁の外面に隣接して配置された上記蒸発器コイルセットの第１部分と、
上記液体不透過性容器の内部に配置された上記蒸発器コイルセットの第２部分と、
凍結相変化物質の１つ以上の容器を取り囲む大きさおよび形状の、上記蒸発器コイルセットの上記第１部分と熱接触する枠と、
を備えることを特徴とする節３６に記載の冷却装置。
【０１１４】
４７．上記貯蔵領域を実質的に形成する上記１つ以上の壁は、アクセス開口部を形成するための位置、大きさ、および形状の開口を有することを特徴とする節３６に記載の冷却装置。
【０１１５】
４８．上記貯蔵領域を実質的に形成する上記１つ以上の壁は、ドアと可逆的に結合するための位置、大きさ、および形状の開口を備えることを特徴とする節３６に記載の冷却装置。
【０１１６】
４９．上記貯蔵領域を実質的に形成する上記１つ以上の壁は、立方構造の５面を形成することを特徴とする節３６に記載の冷却装置。
【０１１７】
５０．上記貯蔵領域を実質的に形成する上記１つ以上の壁は、複数の層を備え、上記蒸発器は、当該複数の層のうちの少なくとも１つの表面に隣接して配置されることを特徴とする節３６に記載の冷却装置。
【０１１８】
５１．上記蒸発器を形成するように接続された、上記中空内部を有する上記第２蒸気不透過性構造体群は、分岐構造体を形成することを特徴とする節３６に記載の冷却装置。
【０１１９】
５２．上記蒸発器を形成するように接続された、上記中空内部を有する上記第２蒸気不透過性構造体群は、上記液体不透過性容器の上記１つ以上の壁のうちの少なくとも１つに内蔵されていることを特徴とする節３６に記載の冷却装置。
【０１２０】
５３．上記蒸発器を形成するように接続された、上記中空内部を有する上記第２蒸気不透過性構造体群は、上記液体不透過性容器の上記１つ以上の壁のうちの少なくとも１つと直接熱接触することを特徴とする節３６に記載の冷却装置。
【０１２１】
５４．上記コネクタは、上記冷却装置が使用姿勢にある場合、略垂直に配置される略線状構造体であることを特徴とする節３６に記載の冷却装置。
【０１２２】
５５．上記コネクタは、上記蒸発器に取り付けられた第１端部と、上記凝縮器に取り付けられた第２端部とを有する複数の導管を備え、各導管は、上記蒸発器の内部と上記凝縮器の内部との間に、液体および蒸気の双方向の流路を提供するように配置構成されることを特徴とする節３６に記載の冷却装置。
【０１２３】
５６．上記熱伝達システムは、上記冷却装置内で一方向熱伝導体を形成することを特徴とする節３６に記載の冷却装置。
【０１２４】
５７．上記熱伝達システムは、連続した実質的に密閉された中空内部と、当該連続した実質的に密閉された中空内部内に密閉された蒸発性液体とを備えることを特徴とする節３６に記載の冷却装置。
【０１２５】
５８．上記液体不透過性容器内に配置された相変化物質をさらに備えることを特徴とする節３６に記載の冷却装置。
【０１２６】
５９．上記液体不透過性容器の上面内の、ユーザーが上記液体不透過性容器の内部にアクセスするように構成されたアクセス蓋をさらに備えることを特徴とする節３６に記載の冷却装置。
【０１２７】
６０．上記コネクタに接続され、上記コネクタの上記中空内部の大きさを可逆的に制御するように配置構成された少なくとも１つの熱制御装置をさらに備えることを特徴とする節３６に記載の冷却装置。
【０１２８】
６１．上記液体不透過性容器内に、上記１つ以上の壁と上記蒸発器コイルセットとの間に配置された少なくとも１つのセンサと、
上記少なくとも１つの能動的冷却ユニットと上記センサとに動作可能に取り付けられた制御器と、
をさらに備えることを特徴とする節３６に記載の冷却装置。
【０１２９】
６２．上記制御器は、上記センサから受信したデータに応じて上記少なくとも１つの能動的冷却ユニットをオン・オフする回路を備えることを特徴とする節６１に記載の冷却装置。
【０１３０】
６３．上記コネクタに接続され、上記コネクタの上記中空内部の大きさを可逆的に制御するように配置構成された熱制御装置と、
上記液体不透過性容器内に、上記１つ以上の壁と上記蒸発器コイルセットとの間に配置された少なくとも１つのセンサと、
上記熱制御装置と上記センサとに動作可能に取り付けられた制御器と、
をさらに備えることを特徴とする節３６に記載の冷却装置。
【０１３１】
６４．上記制御器は、上記センサから受信されたデータに応じて、上記熱制御装置に制御信号を送信する回路を備えることを特徴とする節６３に記載の冷却装置。
【０１３２】
６５．上記液体不透過性容器を実質的に形成する上記１つ以上の壁の外面に、上記凝縮器から遠位に取り付けられ、凍結相変化物質の１つ以上の容器を取り囲む大きさおよび形状の枠と、
上記枠内に、上記１つ以上の容器を上記１つ以上の壁に押しつけるように配向された少なくとも１つのテンショナと、
をさらに備えることを特徴とする節３６に記載の冷却装置。
【０１３３】
６６．上記枠は、上記１つ以上の壁の上記外面に隣接した、凍結相変化物質の上記１つ以上の容器の位置決めを補助するように配向された少なくとも１つの位置決め要素を備えることを特徴とする節６５に記載の冷却装置。
【０１３４】
６７．上記枠は、第２液体不透過性容器内に配置されることを特徴とする節６５に記載の冷却装置。
【０１３５】
６８．上記液体不透過性容器、上記蒸発器コイルセット、貯蔵領域を実質的に形成する上記１つ以上の壁、および上記熱伝達システムを取り囲む外郭と、
上記外郭内に、ユーザーが上記貯蔵領域にアクセスすることを可逆的に可能にするように配置されたドアと、
をさらに備えることを特徴とする節３６に記載の冷却装置。
【０１３６】
６９．上記制御器に動作可能に取り付けられた電力モニターをさらに備えることを特徴とする節３６に記載の冷却装置。
【０１３７】
７０．上記液体不透過性容器に内蔵の、上記液体不透過性容器の縁部を越えて突出する領域を備える熱伝導壁と、
上記熱伝導壁の上記液体不透過性容器の縁部を越えて突出する上記熱伝導壁の上記領域に取り付けられ、上記熱伝導壁の上記領域に隣接した断熱層を備える囲壁と、
上記囲壁内に取り付けられた、凍結相変化物質の１つ以上の容器を取り囲む大きさおよび形状の枠と、
をさらに備えることを特徴とする節３６に記載の冷却装置。
【０１３８】
７１．冷却装置の内部にある相変化物質を保持するように構成された液体不透過性容器を実質的に形成する１つ以上の壁と、
上記液体不透過性容器の内部に配置された蒸発器コイルセットを備える少なくとも１つの能動的冷却ユニットと、
上記液体不透過性容器内に、上記１つ以上の壁と上記蒸発器コイルセットとの間に配置されたセンサと、
貯蔵領域を実質的に形成する１つ以上の壁と、
液体不透過性容器を実質的に形成する上記１つ以上の壁と熱接触する凝縮器を形成するように接続された、中空内部を有する第１蒸気不透過性構造体群、貯蔵領域を実質的に形成する上記１つ以上の壁と熱接触する蒸発器を形成するように接続された、中空内部を有する第２蒸気不透過性構造体群、および上記凝縮器と上記蒸発器の両方に取り付けられ、上記凝縮器の上記中空内部と上記蒸発器の上記中空内部との間に液体・蒸気流路を形成するコネクタを備える熱伝達システムと、
上記少なくとも１つの能動的冷却ユニットと上記センサとに動作可能に取り付けられた制御器とを備えることを特徴とする冷却装置。
【０１３９】
７２．上記液体不透過性容器は、上記冷却装置内に、上記貯蔵領域の上方に配置されることを特徴とする節７１に記載の冷却装置。
【０１４０】
７３．上記液体不透過性容器は、
上記蒸発器コイルセットが通過できる大きさ、形状、および位置の開口と、
上記開口の表面と上記蒸発器コイルセットの表面との間の液体不透過性密閉材と、
を備えることを特徴とする節７１に記載の冷却装置。
【０１４１】
７４．液体不透過性容器を実質的に形成する上記１つ以上の壁は、複数の層を備え、上記凝縮器は、当該複数の層のうちの少なくとも１つの表面に隣接して配置されることを特徴とする節７１に記載の冷却装置。
【０１４２】
７５．上記液体不透過性容器を実質的に形成する上記１つ以上の壁は、複数の層を備え、当該１つ以上の層のうちの少なくとも１つは、非平面領域を備え、上記液体不透過性容器の複数の面を形成することを特徴とする節７１に記載の冷却装置。
【０１４３】
７６．上記少なくとも１つの能動的冷却ユニットは、能動的冷却システムを備えることを特徴とする節７１に記載の冷却装置。
【０１４４】
７７．上記少なくとも１つの能動的冷却ユニットは、電動圧縮システムを備えることを特徴とする節７１に記載の冷却装置。
【０１４５】
７８．上記蒸発器コイルセットを備える上記少なくとも１つの能動的冷却ユニットは、
上記液体不透過性容器を実質的に形成する上記１つ以上の壁の外面に隣接して配置された上記蒸発器コイルセットの第１部分と、
上記液体不透過性容器の内部に配置された上記蒸発器コイルセットの第２部分と、
凍結相変化物質の１つ以上の容器を取り囲む大きさおよび形状の、上記蒸発器コイルセットの上記第１部分と熱接触する枠と、
を備えることを特徴とする節７１に記載の冷却装置。
【０１４６】
７９．上記液体不透過性容器内に、上記１つ以上の壁と上記蒸発器コイルセットとの間に配置された上記センサは、上記冷却装置の使用時には相変化物質に浸漬されるように配置されることを特徴とする節７１に記載の冷却装置。
【０１４７】
８０．上記液体不透過性容器内に、上記１つ以上の壁と上記蒸発器コイルセットとの間に配置された上記センサは、温度センサを備えることを特徴とする節７１に記載の冷却装置。
【０１４８】
８１．上記貯蔵領域を実質的に形成する上記１つ以上の壁は、アクセス開口部を形成するための位置、大きさ、および形状の開口を有することを特徴とする節７１に記載の冷却装置。
【０１４９】
８２．上記貯蔵領域を実質的に形成する上記１つ以上の壁は、ドアと可逆的に結合するための位置、大きさ、および形状の開口を備えることを特徴とする節７１に記載の冷却装置。
【０１５０】
８３．上記貯蔵領域を実質的に形成する上記１つ以上の壁は、立方構造の５面を形成することを特徴とする節７１に記載の冷却装置。
【０１５１】
８４．上記貯蔵領域を実質的に形成する上記１つ以上の壁は、複数の層を備え、上記蒸発器は、当該複数の層のうちの少なくとも１つの表面に隣接して配置されることを特徴とする節７１に記載の冷却装置。
【０１５２】
８５．上記熱伝達システムは、上記冷却装置内で一方向熱伝導体を形成することを特徴とする節７１に記載の冷却装置。
【０１５３】
８６．上記熱伝達システムは、連続した実質的に密閉された中空内部と、当該連続した実質的に密閉された中空内部内に密閉された蒸発性液体とを備えることを特徴とする節７１に記載の冷却装置。
【０１５４】
８７．上記凝縮器を形成するように接続された、上記中空内部を有する上記第１蒸気不透過性構造体群は、分岐構造体を形成することを特徴とする節７１に記載の冷却装置。
【０１５５】
８８．上記凝縮器を形成するように接続された、上記中空内部を有する上記第１蒸気不透過性構造体群は、上記液体不透過性容器の上記１つ以上の壁のうちの少なくとも１つに内蔵されていることを特徴とする節７１に記載の冷却装置。
【０１５６】
８９．上記凝縮器を形成するように接続された、上記中空内部を有する上記第１蒸気不透過性構造体群は、上記液体不透過性容器の上記１つ以上の壁のうちの少なくとも１つと直接熱接触することを特徴とする節７１に記載の冷却装置。
【０１５７】
９０．上記蒸発器を形成するように接続された、上記中空内部を有する上記第２蒸気不透過性構造体群は、分岐構造体を形成することを特徴とする節７１に記載の冷却装置。
【０１５８】
９１．上記蒸発器を形成するように接続された、上記中空内部を有する上記第２蒸気不透過性構造体群は、上記液体不透過性容器の上記１つ以上の壁のうちの少なくとも１つに内蔵されていることを特徴とする節７１に記載の冷却装置。
【０１５９】
９２．上記蒸発器を形成するように接続された、上記中空内部を有する上記第２蒸気不透過性構造体群は、上記液体不透過性容器の上記１つ以上の壁のうちの少なくとも１つと直接熱接触することを特徴とする節７１に記載の冷却装置。
【０１６０】
９３．上記コネクタは、上記冷却装置が使用姿勢にある場合、略垂直に配置される略線状構造体であることを特徴とする節７１に記載の冷却装置。
【０１６１】
９４．上記コネクタは、上記蒸発器に取り付けられた第１端部と、上記凝縮器に取り付けられた第２端部とを有する複数の導管を備え、各導管は、上記蒸発器の内部と上記凝縮器の内部との間に、液体および蒸気の双方向の流路を提供するように配置構成されることを特徴とする節７１に記載の冷却装置。
【０１６２】
９５．上記制御器は、上記センサから受信したデータに応じて上記少なくとも１つの能動的冷却ユニットをオン・オフする回路を備えることを特徴とする節７１に記載の冷却装置。
【０１６３】
９６．上記液体不透過性容器内に配置された相変化物質をさらに備えることを特徴とする節７１に記載の冷却装置。
【０１６４】
９７．上記液体不透過性容器の上面内の、ユーザーが上記液体不透過性容器の内部にアクセスするように構成されたアクセス蓋をさらに備えることを特徴とする節７１に記載の冷却装置。
【０１６５】
９８．上記コネクタに接続され、上記コネクタの上記中空内部の大きさを可逆的に制御するように配置構成された少なくとも１つの熱制御装置をさらに備えることを特徴とする節７１に記載の冷却装置。
【０１６６】
９９．上記コネクタに接続され、上記コネクタの上記中空内部の大きさを可逆的に制御するように配置構成され、上記制御器に動作可能に取り付けられ、上記制御器からの制御信号を受信するように構成された熱制御装置をさらに備えることを特徴とする節７１に記載の冷却装置。
【０１６７】
１００．上記液体不透過性容器を実質的に形成する上記１つ以上の壁の外面に、上記凝縮器から遠位に取り付けられ、凍結相変化物質の１つ以上の容器を取り囲む大きさおよび形状の枠と、
上記枠内に、上記１つ以上の容器を上記１つ以上の壁に押しつけるように配向された少なくとも１つのテンショナと、
をさらに備えることを特徴とする節７１に記載の冷却装置。
【０１６８】
１０１．上記枠は、上記１つ以上の壁の上記外面に隣接した、凍結相変化物質の上記１つ以上の容器の位置決めを補助するように配向された少なくとも１つの位置決め要素を備えることを特徴とする節１００に記載の冷却装置。
【０１６９】
１０２．上記枠は、第２液体不透過性容器内に配置されることを特徴とする節１００に記載の冷却装置。
【０１７０】
１０３．上記液体不透過性容器、上記蒸発器コイルセット、貯蔵領域を実質的に形成する上記１つ以上の壁、および上記熱伝達システムを取り囲む外郭と、
上記外郭内に、ユーザーが上記貯蔵領域にアクセスすることを可逆的に可能にするように配置されたドアと、
をさらに備えることを特徴とする節７１に記載の冷却装置。
【０１７１】
１０４．上記制御器に動作可能に取り付けられた電力モニターをさらに備えることを特徴とする節７１に記載の冷却装置。
【０１７２】
１０５．上記液体不透過性容器に内蔵の、上記液体不透過性容器の縁部を越えて突出する領域を備える熱伝導壁と、
上記熱伝導壁の上記液体不透過性容器の縁部を越えて突出する上記熱伝導壁の上記領域に取り付けられ、上記熱伝導壁の上記領域に隣接した断熱層を備える囲壁と、
上記囲壁内に取り付けられた、凍結相変化物質の１つ以上の容器を取り囲む大きさおよび形状の枠と、
をさらに備えることを特徴とする節７１に記載の冷却装置。
【０１７３】
本明細書において言及される、および／または出願データシートに記載される上述の米国特許、米国特許出願公報、米国特許出願、外国特許、外国出願、および非特許刊行物は全て、本明細書と矛盾しない限りにおいて、参照として本明細書に組み込まれる。さまざまな態様および実施形態が本明細書において開示されたが、他の態様および実施形態についても当業者には明白であろう。本明細書において開示されたさまざまな態様および実施形態は、例示を目的とするものであって、限定することを意図したものではなく、本当の範囲および精神が以下の請求項によって示されている。
【図１】
0006766070.tif 000002
【図２】
0006766070.tif 000003
【図３】
0006766070.tif 000004
【図４】
0006766070.tif 000005
【図５】
0006766070.tif 000006
【図６】
0006766070.tif 000007
【図７】
0006766070.tif 000008
【図８】
0006766070.tif 000009